(57)【特許請求の範囲】
【請求項１】
四角形の平面形状からなる１枚の板紙と、
前記板紙の内側領域を前記板紙の少なくとも３辺に平行で連続して延びる有限の切断線で切断してなる単数又は複数の切断部と、
前記板紙に前記切断線の一部に直交して延びる直交線と当該切断線の一部から連続して延びる延長線とからなる折り曲げ線と、
前記板紙の内側領域に、前記切断線のうち平行して向き合う２つの直線部分に挟まれた１つの直線部分と前記１つの直線部分の両端部から互いに背中合わせで接近するように延びて前記向き合う２つの直線部分に挟まれる領域内で接触する２つの円弧状の曲線とで囲まれる部分を切除してなる切り欠き部と、
を備えて構成されている折り曲げ組立仕切り部材の展開板。
【請求項２】
前記板紙の内側領域に、前記切断線のうち直交して隣り合う２つの直線部分と前記隣り合う２つの直線部分にその内側から接触する円弧状の曲線とで囲まれる部分を切除してなる切り欠き部が設けられている請求項１に記載の展開板。
【請求項３】
前記板紙の内側領域における前記切断線のうち平行して向き合う２つの直線部分に挟まれた１つの直線部分の両端部に、前記１つの直線部分の両端部の一部と前記向き合う２つの直線部分の反対側に所定の距離だけ突出する突出線とが含まれる形状からなる部分を切除してなる引っ掛け用切り欠き部が設けられている請求項１又は２に記載の展開板。
【請求項４】
請求項１乃至３のいずれかに記載の折り曲げ組立仕切り部材の展開板を、前記折り曲げ線で折り曲げて４、６又は９個の仕切り空間を有する形態に組み立ててなる仕切り部材。
【請求項５】
少なくとも底面部と４つの側面部で構成される収容空間に設置して使用する際、前記板紙の前記切断線で囲まれる部分を、その部分の一辺の全部又は一部が前記収容空間の底面部に接触して全体として起立させた状態になるよう設置して使用される請求項４に記載の仕切り部材。
【請求項６】
前記仕切り空間が前記収容空間で横倒しの状態になるよう設置して使用される請求項４又は５に記載の仕切り部材。
【請求項７】
前記板紙の前記折り曲げ線で折り曲げて重なる部分を含む一部を、前記板紙の前記切断線で囲まれる部分のうちで前記底面部に接触させる一辺と向き合う対向辺に対して、前記重なる部分が覆い被せるか又は接近した状態になるようにして仕切り空間を形成する位置と離間した状態になるようにして仕切り空間を消失させる位置との間で変位させて使用する請求項６に記載の仕切り部材。
【請求項８】
前記収容空間と前記収容空間を上部で開閉する蓋部を有する箱に設置して使用する際、前記箱の蓋部を開けて前記箱の側面部に接近させた状態にしたときの当該蓋部の付け根部分と当該側面部の上端部分に、前記板紙の前記引っ掛け用切り欠き部を嵌めるよう引っ掛けた状態にして使用される請求項７に記載の仕切り部材。
【発明の詳細な説明】
【技術分野】
【０００１】
この発明は、折り曲げ組立仕切り部材の展開板と仕切り部材に関するものである。
【背景技術】
【０００２】
従来、ダンボール箱等の収容箱における収容空間を複数の空間に仕切るために、その収容空間に設置して使用する仕切り部材としては、例えば、以下のものが知られている。
【０００３】
対向する長辺と対向する短辺を持つ四角形の形態を有する段ボール製仕切板であって、長辺の一方から切欠したスリットと、長辺の他方から切欠したスリットとをこれら長辺に沿って交互に備える仕切板において、前記スリットのうち、前記短辺の近くに配置したスリットについて、このスリットの本体の輪郭を形成する本体形成部から出発して、前記短辺まで切欠することによって形成した段部を備えるよう構成した段ボール製仕切板がある（特許文献１）。
【先行技術文献】
【特許文献】
【０００４】
【特許文献１】特開２００９−１０７７００号公報
【発明の概要】
【発明が解決しようとする課題】
【０００５】
この発明は、複数の被収容物を収容空間内に横置きで積み重ねて収容するときの仕切り部材として使用するときでも、仕切り空間を形成する部分が自力で保持される仕切り部材を１枚の板紙から得ることができる、折り曲げ組立仕切り部材の展開板と仕切り部材を提供するものである。
【課題を解決するための手段】
【０００６】
この発明（Ａ１）の折り曲げ組立仕切り部材の展開板は、四角形の平面形状からなる１枚の板紙と、前記板紙の内側領域を前記板紙の少なくとも３辺に平行で連続して延びる有限の切断線で切断してなる単数又は複数の切断部と、前記板紙に前記切断線の一部に直交して延びる直交線と当該切断線の一部から連続して延びる延長線とからなる折り曲げ線と、前記板紙の内側領域に、前記切断線のうち平行して向き合う２つの直線部分に挟まれた１つの直線部分と前記１つの直線部分の両端部から互いに背中合わせで接近するように延びて前記向き合う２つの直線部分に挟まれる領域内で接触する２つの円弧状の曲線とで囲まれる部分を切除してなる切り欠き部と、を備えて構成されているものである。
【０００７】
この発明（Ａ２）の折り曲げ組立仕切り部材の展開板は、上記発明Ａ１の展開板において、前記板紙の内側領域に、前記切断線のうち直交して隣り合う２つの直線部分と前記隣り合う２つの直線部分にその内側から接触する円弧状の曲線とで囲まれる部分を切除してなる切り欠き部が設けられているものである。
【０００８】
この発明（Ａ３）の折り曲げ組立仕切り部材の展開板は、上記発明Ａ１又はＡ２の展開板において、前記板紙の内側領域における前記切断線のうち平行して向き合う２つの直線部分に挟まれた１つの直線部分の両端部に、前記１つの直線部分の両端部の一部と前記向き合う２つの直線部分の反対側に所定の距離だけ突出する突出線とが含まれる形状からなる部分を切除してなる引っ掛け用切り欠き部が設けられているものである。
【０００９】
また、この発明（Ｃ１）の仕切り部材は、上記発明Ａ１からＡ３のいずれかの折り曲げ組立仕切り部材の展開板を、前記折り曲げ線で折り曲げて４、６又は９個の仕切り空間を有する形態に組み立ててなるものである。
【００１０】
この発明（Ｃ２）の仕切り部材は、上記発明Ｃ１の仕切り部材において、少なくとも底面部と４つの側面部で構成される収容空間に設置して使用する際、前記板紙の前記切断線で囲まれる部分を、その部分の一辺の全部又は一部が前記収容空間の底面部に接触して全体として起立させた状態になるよう設置して使用されるものである。
【００１１】
この発明（Ｃ３）の仕切り部材は、上記発明Ｃ１又はＣ２の仕切り部材において、前記仕切り空間が前記収容空間で横倒しの状態になるよう設置して使用されるものである。
【００１２】
この発明（Ｃ４）の仕切り部材は、上記発明Ｃ３の仕切り部材において、前記板紙の前記折り曲げ線で折り曲げて重なる部分を含む一部を、前記板紙の前記切断線で囲まれる部分のうちで前記底面部に接触させる一辺と向き合う対向辺に対して、前記重なる部分が覆い被せるか又は接近した状態になるようして仕切り空間を形成する位置と離間した状態になるようにして仕切り空間を消失させる位置との間で変位させて使用するものである。
【００１３】
この発明（Ｃ５）の仕切り部材は、上記発明Ｃ４の仕切り部材において、前記収容空間と前記収容空間を上部で開閉する蓋部を有する箱に設置して使用する際、前記箱の蓋部を開けて前記箱の側面部に接近させた状態にしたときの当該蓋部の付け根部分と当該側面部の上端部分に、前記板紙の前記引っ掛け用切り欠き部を嵌めるよう引っ掛けた状態にして使用されるものである。
【発明の効果】
【００１４】
上記発明Ａ１の折り曲げ組立仕切り部材の展開板によれば、複数の被収容物を収容空間内に横置きで積み重ねて収容するときの仕切り部材として使用するときでも、仕切り空間を形成する部分が自力で保持される仕切り部材を１枚の板紙から得ることができる。また、切り欠き部について他の構成にした場合に比べて、その展開板を組立てて得られる仕切り部材の一部を被収容物の収容時や取り出し時に変位させることがあっても、板紙の一部を切り欠き部で切除して無駄にする面積が少なく、その変位させる操作を他の一部との接触を回避しつつ円滑に行える仕切り部材を得ることができる。
【００１５】
上記発明Ａ２の展開板では、切り欠き部について他の構成にした場合に比べて、その展開板を組立てて得られる仕切り部材の一部を被収容物の収容時や取り出し時に変位させることがあっても、板紙の一部を切り欠き部で切除して無駄にする面積が少なく、その変位させる操作を他の一部との接触を回避しつつ円滑に行える仕切り部材を得ることができる。
【００１６】
上記発明Ａ３の展開板では、引っ掛け用切り欠き部がない場合に比べて、その展開板を組立てて得られる仕切り部材を収容空間の縁部に引っ掛けて自立した状態に保持される仕切り部材を得ることができる。
【００１７】
上記発明Ｃ１の仕切り部材によれば、複数の被収容物を収容空間内に横置きで積み重ねて収容するときの仕切り部材として使用するときでも、仕切り空間を形成する部分が自力で保持される仕切り部材を１枚の板紙から得ることができる。
【００１８】
上記発明Ｃ２の仕切り部材では、仕切り部材を他の状態で設置する場合に比べて、収容空間で自立して安定した状態で設置することができる。
【００１９】
上記発明Ｃ３の仕切り部材では、上記発明Ｃ１及びＣ２による効果が得られることに加えて、収容空間に被収容物を横置きで積み重ねて収容することを安定して行うことができる。
【００２０】
上記発明Ｃ４の仕切り部材では、被収容物を横置きで積み重ねて収容するときの作業やその収容した被収容物を取り出すときの作業を、仕切り部材を収容空間に設置した状態のままで行うことができる場合がある。
上記発明Ｃ５の仕切り部材では、引っ掛け用切り欠き部がない場合に比べて、仕切り部材を、箱の蓋部を開けた状態に保持したうえで箱の収容空間内で自立させた状態で保持させることができ、被収容物の収容及び取り出し時の作業性が向上する。
【図面の簡単な説明】
【００２１】
【図１】実施の形態１に係る仕切り部材を横置きの収容に使用するときの状態を示す斜視説明図である。
【図２】図１における収容箱及び被収容物の関係を示す斜視説明図である。
【図３】図１における仕切り部材を縦置きの収容に使用するときの状態を示す斜視図である。
【図４】図３における仕切り部材をその上方から見たときの状態を示す概略平面図である。
【図５】図１における仕切り部材を折り曲げて組み立てるための実施の形態１に係る展開板を示す平面図である。
【図６】図１における仕切り部材を横置きの収容に使用するときの状態を示す概略斜視図である。
【図７】図６における仕切り部材の一部を変位させたときの状態を示す概略斜視図である。
【図８】図７における仕切り部材の他の一部をさらに変位させたときの状態を示す概略斜視図である。
【図９】図１における仕切り部材の一部及び他の一部を同時に変位させて使用するときの一状態を示す斜視説明図である。
【図１０】（ａ）は図９における収容箱のみのＱ−Ｑ線に沿う概略断面図、（ｂ）は図９における仕切り部材及び収容箱のＱ−Ｑ線に沿う概略断面図である。
【図１１】図１における仕切り部材の一部のみを変位させて使用するときの一状態を示す斜視説明図である。
【図１２】実施の形態１に係る展開板の変形例を示す平面図である。
【図１３】（ａ）は図１２における展開板を折り曲げて仕切り部材を組み立てるときの最初の段階の一過程における状態を示す概略斜視図、（ｂ）は図１２における展開板を折り曲げて仕切り部材を組み立てるときの最終段階の一過程における状態を示す概略斜視図である。
【図１４】図１２における展開板を折り曲げて組み立てた仕切り部材の一状態を、縦置き収容に使用するときの状態で示す概略斜視図である。
【図１５】図１２における展開板を折り曲げて組み立てた仕切り部材の一状態を、横置き収容に使用するときの状態で示す概略斜視図である。
【図１６】実施の形態２に係る展開板を示す平面図である。
【図１７】図１６における展開板を折り曲げて組み立てて得た実施の形態２に係る仕切り部材の一状態を、縦置き収容に使用するときの状態で示す斜視図である。
【図１８】図１６における展開板を折り曲げて組み立てて得た実施の形態２に係る仕切り部材の一状態を、横置き収容に使用するときの状態でかつ斜め下から見上げた状態で示す斜視図である。
【図１９】図１８における仕切り部材の一部のみを変位させたときの一状態を、斜め下から見上げた状態で示す斜視説明図である。
【図２０】図１８における仕切り部材の一部及び他の一部を同時に変位させたときの一状態を、斜め下から見上げた状態で示す斜視説明図である。
【図２１】図１８における仕切り部材を用いて横置き収容を行うときの一状態を示す斜視説明図である。
【図２２】実施の形態３に係る展開板を示す平面図である。
【図２３】（ａ）は図２２における展開板を折り曲げて組み立てて得た実施の形態３に係る仕切り部材の縦置き収容に使用するときの状態を示す斜視図であり、（ｂ）は実施の形態３に係る仕切り部材の横置き収容に使用するときの状態を示す斜視図である。
【図２４】図２２における展開板を折り曲げて仕切り部材を組み立てるときの最初の段階の一過程における状態を示す概略斜視図である。
【図２５】図２３（ｂ）における仕切り部材の一部のみを変位させたときの一状態を示す斜視説明図である。
【図２６】実施の形態４に係る展開板を示す平面図である。
【図２７】（ａ）は図２６における展開板を折り曲げて組み立てて得た実施の形態４に係る仕切り部材の縦置き収容に使用するときの状態を示す斜視図であり、（ｂ）は実施の形態４に係る仕切り部材の横置き収容に使用するときの状態を示す斜視図である。
【図２８】図２６における展開板を折り曲げて仕切り部材を組み立てるときの最終段階の一過程における状態を示す概略斜視図である。
【図２９】実施の形態５に係る展開板を示す平面図である。
【図３０】（ａ）は図２９における展開板を折り曲げて組み立てて得た実施の形態５に係る仕切り部材の縦置き収容に使用するときの状態を示す斜視図であり、（ｂ）は実施の形態５に係る仕切り部材の横置き収容に使用するときの状態を示す斜視図である。
【図３１】実施の形態６に係る展開板を示す平面図である。
【図３２】（ａ）は図３１における展開板を折り曲げて組み立てて得た実施の形態６に係る仕切り部材の縦置き収容に使用するときの状態を示す斜視図であり、（ｂ）は実施の形態６に係る仕切り部材の横置き収容に使用するときの状態を示す斜視図である。
【図３３】（ａ）は比較参考例１に係る仕切り部材の縦置き収容に使用するときの状態を示す斜視図であり、（ｂ）は（ａ）における仕切り部材の縦置き収容に使用するときの状態を示す斜視説明図である。
【図３４】図３３（ａ）における仕切り部材を折り曲げて組み立てるための展開板を示す平面図である。
【図３５】（ａ）は図３３における展開板を横置き収容に使用するときの不具合の一状態を示す斜視図であり、（ｂ）は（ａ）における仕切り部材の横置き収容に使用するときの状態を示す斜視説明図である。
【図３６】（ａ）は比較参考例２に係る仕切り部材を縦置き収容に使用するときの状態で示す概略斜視図、（ｂ）は（ａ）の仕切り部材を折り曲げて組立てるための展開板を示す平面図である。
【図３７】（ａ）は比較参考例３に係る仕切り部材を縦置き収容に使用するときの状態で示す概略斜視図、（ｂ）は（ａ）の仕切り部材を折り曲げて組立てるための展開板を示す平面図である。
【図３８】（ａ）は比較参考例４に係る仕切り部材を縦置き収容に使用するときの状態で示す概略斜視図、（ｂ）は（ａ）の仕切り部材を折り曲げて組立てるための展開板を示す平面図である。
【図３９】（ａ）は比較参考例５に係る仕切り部材を縦置き収容に使用するときの状態で示す概略斜視図、（ｂ）は（ａ）の仕切り部材を折り曲げて組立てるための展開板を示す平面図である。
【発明を実施するための形態】
【００２２】
以下、この発明を実施するための形態（以下、単に「実施の形態」という）について添付の図面を参照しながら説明する。
【００２３】
［実施の形態１］
図１は、実施の形態１に係る仕切り部材を使用している状態の一例を示している。図１等の各図面中に符号Ｘ，Ｙ，Ｚで示す矢印は、各図面において想定した３次元空間の幅、高さ及び奥行の各方向を示す直交座標軸（の方向）である。
【００２４】
実施の形態１に係る仕切り部材１Ａは、図１に示されるように、例えばダンボール箱等の収容箱２における収容空間２０を断面形状がほぼ四角形からなる複数の空間に仕切るためのものであり、その収容箱２の収容空間２０に設置して使用される。また、収容箱２の収容空間２０の仕切り部材１Ａにより仕切られた各空間には、所望の被収容物３がそれぞれ収容される。
【００２５】
仕切り部材１Ａを適用する収容箱２は、例えば、図２に示されるように、底面部２１と４つの側面部２２〜２５で構成される収容空間２０と、収容空間２０の上部で開閉する４つの蓋部２６〜２９とからなるものである。蓋部２６〜２９は、その根元部分が４つの側面部２２〜２５の上端部においてつながっており、その根元部分を中心にして揺動させることにより、収容空間２０の上部の一部をそれぞれ別々に開閉できるようになっている。また、蓋部２６〜２９は、開けた状態にしたとき、４つの側面部２２〜２５の外側面に接近させた状態まで揺動させることができるようにもなっている。収容箱２の材質については、特に限定されるものでなく、例えばダンボール紙等が適用される。
【００２６】
収容箱２に収容される被収容物３は、仕切り部材により仕切られた空間に個別に収容することが適したものであればよい。このような被収容物３としては、例えば、現像剤で構成される画像を形成する画像形成装置に着脱自在に装着して使用される筒状の現像剤収納容器が挙げられる。
また、被収容物３は、図２の最も右側の位置に例示されるように、その最も長い寸法Ｌ１の部分が収容空間２０の高さ寸法Ｈよりも低い形状の被収容物３Ａであれば、通常、収容空間２０の底面部２１に対して最も長い寸法Ｌ１の部分を立てて縦置きの状態にして複数個並べるような状態で収容される。この場合、仕切り部材１Ａとしては、その収容空間２０に縦置き収容するときに適合した仕切り空間を形成してなる構造のものが適用され、その縦置きに適した状態で設置して使用される。一方、被収容物３は、図２の右側の他の位置に例示されるように、その最も長い寸法Ｌ２の部分が収容空間２０の高さ寸法Ｈより高い形状からなる被収容物３Ｂであれば、収容空間２０の底面部２１に対して最も長い寸法Ｌ２の部分を倒して横置きの状態にして複数個（段）積み重ねるような状態で収容される。
ちなみに、この被収容物３Ａは、縦置きで収容する場合、収容箱２の幅及び奥行の寸法Ｗ，Ｄからなる底面部２１に対して、縦置きの状態でかつ複数個並べた状態で収容することができる寸法関係になっている。また、被収容物３Ｂについても、横置きで収容する場合、収容箱２の幅、奥行及び高さの寸法Ｗ，Ｄ，Ｈからなる収容空間２０に対して、複数横置きの状態で並べてかつ複数段積み重ねた状態で収容することができる寸法関係になっている。
【００２７】
仕切り部材１Ａは、図３、図４等に示されるように、９つの仕切り空間１１〜１９を有する形態のものである。また、この仕切り部材１Ａは、図５に示される１枚の板紙４０からなる展開板４Ａを折り曲げて組立てることによって得られる。なお各仕切り部材１を示す各図面においては、その各仕切り部材１を組み立てるための各展開板４における板紙４０の厚さを省略して示している。
【００２８】
＜展開板４Ａの構成＞
仕切り部材１Ａを折り曲げて組立てるための展開板４Ａは、図５に示されるように、四角形の平面形状からなる１枚の板紙４０と、板紙４０の内側領域を板紙４０の少なくとも３辺（４０ａ，４０ｂ，４０ｃ，４０ｄのいずれか３つ）に平行で連続して延びる有限の切断線５１、５２で切断してなる４つの切断部５（５ａ、５ｂ）と、板紙４０に切断線５１，５２の一部に直交して延びる直交線６１と切断線５１，５２の一部から連続して延びる延長線６３とからなる折り曲げ線６とを備えて構成されているものである。
【００２９】
板紙４０は、縦及び横の寸法が５ｋ×７ｋである長方形の平面形状からなる１枚の板状部材である。上記ｋは縦横をそれぞれ等分するときの基準となる分割単位長さであり、通常は板紙４０の縦横とも同じ値（ｋ、ｋ）に設定されるが、互いに異なる値（ｋ１、ｋ２）に設定してもかまわない。この分割単位長さｋは、任意に選定されるものであり、例えば、展開板を組立てて得られる仕切り部材が収容空間２０に設置することが可能な寸法条件などを考慮して選定される。実施の形態１における板紙４０は、縦及び横の寸法が５ｋ×７ｋであるため、平面形状が長方形になっている。板紙４０の材質は、折り曲げる作業が可能であって仕切り部材１を組立てることが可能な材質である。具体的には、紙（ダンボール紙、厚紙などを含む）であるが、これに限定されずプラスチック（ダンボール構造のものなど）、複合材料等の他の材質であってもよい。
【００３０】
展開板４Ａにおける４つの切断部５は、板紙４０の３辺４０ａ，４０ｄｂ，４０ｃに平行で連続して延びる有限の切断線５１で切断された２つの切断部５ａと、板紙４０の３辺４０ａ，４０ｄ，４０ｃに連続で平行して延びる有限の切断線５２で切断された２つの切断部５ｂである。この各切断部５ａ，５ｂは、図５において実線で示している部分になり、その部分は実際に切断線５１、５２で切断されている部分になる。また、この切断部５ａ，５ｂは、例えば、その内側（各切断線５１，５２で囲まれる内側）に存在する板紙４０の領域部分を、仕切り部材１に組立てた段階において支柱部分として使用する目的で形成されている。
【００３１】
２つの切断部５ａ，５ｂをそれぞれ構成する２種の切断線５１、５２はいずれも、板紙４０の分割単位長さｋを整数倍した長さにそれぞれ設定されている。実施の形態１における２種の切断線５１、５２はいずれも、４ｋの長さからなる切断線として設定されている。その一方の切断線５１については、図５中において下方が開口した逆凹状の直角折れ直線になっており、板紙４０の長辺に沿う方向において１つの分割単位長さｋだけ間隔をあけて並ぶ状態で配置されている。その他方の切断線５２についても、図５中において上方が開口した凹状の直角折れ直線になっており、板紙４０の長辺に沿う方向において１つの分割単位長さｋだけ間隔をあけて並んだ状態で配置されている。また、切断線５１と切断線５２は、板紙４０の短辺に沿う方向において１つの分割単位長さｋだけ間隔をあけて、図５中において開口した側が互いに向き合う状態で配置されている。実施の形態１における切断線５１、５２はいずれも、板紙４０の長辺及び短辺を分割単位長さｋの間隔で平行に引いた複数の直線が互いに直交して得られる碁盤の目のような直交線（罫線）のいずれかの部分に沿って形成されている。
【００３２】
展開板４Ａにおける折り曲げ線６は、上述した直交線６１と延長線６３を組み合わせることで構成されているが、谷折りされる折り曲げ部分と山折りされる折り曲げ部分のいずれかになる。図５においては、折り曲げ線６のうち谷折りする部分を破線で示し、また、山折りする部分を二点鎖線で示している（この図示の仕方は展開板を示す他の図面においても同様である。）。また、折り曲げ線６は、板紙４０を折り曲げて組立てることで得る仕切り部材１Ａの最終形態を想定して設定されている。実施の形態１における折り曲げ線６（６１，６３）はいずれも、切断線５１，５２の場合と同様に、平板４０の長辺及び短辺を分割単位長さｋの間隔で平行に引いた複数の直線が互いに直交して得られる碁盤の目のような直交線（罫線）のいずれかの部分に沿って設定されている。
【００３３】
また、折り曲げ線６（６１，６３）は、板紙４０がその各折り曲げ線に沿って容易に折り曲げることができるものであれば板紙４０に特に明示する必要がなく、例えば谷折り及び山折りの種類の違いがわかる線として板紙４０に付される。一方、板紙４０がその各線に沿って容易に折り曲げることが難しいものである場合には、折り曲げ線６（６１，６３）は、その折り曲げ線に沿って厚さの半分程度切込んだ点線や実線として板紙４０の表面又は裏面に付される。
【００３４】
そして、展開板４Ａは、板紙４０のうち切断部５ａ，５ｂを構成する切断線５１，５２と折り曲げ線６で囲まれる各部分が、組立てられた段階における仕切り部材１Ａの各仕切り空間を構成するいずれかの面部分として使用される。
【００３５】
また、この展開板４Ａにおいては、図５に示されるように、板紙４０の内側領域における切断線５１のうち平行して向き合う２つの直線部分５１ｂ、５１ｃに挟まれた１つの直線部分５１ａの両端部に、引っ掛け用切り欠き部８が設けられている。
引っ掛け用切り欠き部８は、上記１つの直線部分５１ａの両端部の一部８ａと上記向き合う２つの直線部分５１ｂ、５１ｃの反対側に所定の距離だけ突出する突出線８ｂとが含まれる形状からなる部分を切除（切断除去）してなる部位として形成されている。実施の形態１における引っ掛け用切り欠き部８は、長方形からなる形状部分として切除されたものである。上記所定の距離は、引っ掛ける部分の寸法等の条件に応じて設定される。図５においては、切断部５ａ，５ｂの構成を説明するために便宜上、引っ掛け用切り欠き部８を構成する直線部分５１ａの両端部の一部８ａを実線で示しているが、実際にはその一部８ａに相当する部分（実線）は切り欠かれて存在しない（以下、この図示内容は切り欠き部８を有する展開板を平面で示す図面において同様である）。
【００３６】
＜仕切り部材１Ａの構成＞
仕切り部材１Ａは、この展開板４Ａを折り曲げ線６に沿って谷折り又は山折りに折り曲げることにより、図３、図４等に示されるような９つの仕切り空間１１〜１９を有する形態の仕切り部材として組立てられる。この組立てに際しては、板紙４０の折り曲げ線６を谷折り又は山折りに沿って予め少し曲げた状態にしておくと、その折り曲げの組立て作業を行いやすくなる。
【００３７】
図３に示される仕切り部材１Ａは、被収容物３を縦置きで並べた状態で収容するときの仕切り部材として利用する場合の状態で示されている。このため、この仕切り部材１Ａは、その仕切り空間１１〜１９のすべてが上方にむけて開口した縦向きの（起立した）状態になる。また、この仕切り部材１Ａは、縦置きの仕切り部材として使用する場合、上方から見たときに縦横に３列ずつ並んだ井桁状の仕切り空間１１〜１９が存在するものになる（図４）。
【００３８】
この場合、仕切り部材１Ａは、向き合う切断部５ａ，５ｂで囲まれる部分が折り曲げ線６（６１）で山折りに折り曲げられて２つの重なる部分１０Ａ，１０Ｂとなり、その折り曲げたときの長手方向における下辺部を収容空間２０の底面部２１に接触させた状態で設置して使用される。また、このときの仕切り部材１Ａは、板紙４０の折り曲げ線６で囲まれた分割部分４１，４２，４３が底面となり、その分割部分４１，４２，４３を収容空間２０の底面部２１に接触させた状態で設置することにもなる。また、このときの仕切り部材１Ａは、４つの切断部５ａ，５ｂの外側にそれぞれ位置して谷折りで折り曲げられる部分が４つの重なる部分１０Ｃ，１０Ｄになり、その４つの重なる部分１０Ｃ，１０Ｄを上記した重なる部分１０Ａ，１０Ｂの上方に配置させた状態になる。
さらに、このときの仕切り部材１Ａは、仕切り空間１１〜１３、１７〜１９が２面を板紙４０の２ｋの寸法からなる相対的に高い部分で囲まれた空間として形成され、その残りの仕切り空間１４〜１６のみがその１面又は２面を板紙４０の１ｋの寸法からなる相対的に低い部分で囲まれた空間として形成されることになる。
【００３９】
また、この展開板４Ａから組み立てられる仕切り部材１Ａは、図１、図６等に示されるように、その仕切り空間１１〜１９のすべてが収容空間２０において横方向にむけて開口した横向きの（横倒し）状態になるよう設置することで、被収容物３を横置きで積み重ねた状態で収容するときの仕切り部材として利用することも可能になっている。
仕切り部材１Ａは、この横置きの仕切り部材として使用する場合、その横方向（側方）から見たときに横方向に３列、縦方向に３段になった井桁状の仕切り空間１１〜１９が存在するものになる（図１等）。
【００４０】
この場合、仕切り部材１Ａは、向き合う切断部５ａ，５ｂで囲まれる部分が切断線６（６１）で山折りに折り曲げられて２つの重なる部分１０Ａ，１０Ｂとなり、その折り曲げたときの長手方向の一端部を収容空間２０の底面部２１に接触させた状態で設置して使用することになる。この際、２つの重なる部分１０Ａ，１０Ｂが支柱の役割をする。また、このときの仕切り部材１Ａは、４つの切断部５ａ，５ｂの外側にそれぞれ位置して谷折りに折り曲げられて得られる４つの重なる部分１０Ｃ，１０Ｄのうち上記した重なる部分１０Ａ，１０Ｂの下方の端部に接近した状態になる２つの重なる部分１０Ｃ，１０Ｄも、収容空間２０の底面部２１に接触させた状態で設置することになる。
【００４１】
さらに、このときの仕切り部材１Ａは、板紙４０の折り曲げ線６で囲まれた分割部分４１，４２，４３が、収納空間２０の１つの側面部（２４）に接触する状態にされて使用される。また、このときの仕切り部材１Ａは、仕切り空間１４〜１６のみが、その一面又は２面が板紙４０の１ｋの寸法からなる低い部分で形成されることになるが、その仕切り空間１４〜１６の上下部分は板紙４０の２ｋの寸法からなる長い部分で形成される。また、このときの９つの仕切り空間１１〜１９を形成する板紙４０の部分は、自力で保持される。特に上段の仕切り空間１７〜１９を形成する板紙４０の部分（後述する部分４０Ｅ）についても、全体が３箇所の折り曲げ部分（後述する折り曲げ線６ａが存在する部位）により支えられて自力で保持される。
【００４２】
この横置きで収容するときの仕切り部材として利用する場合の仕切り部材１Ａは、図６に示されるように、板紙４０の折り曲げ線６で折り曲げられて重なる部分１０Ｃ，１０Ｄを含む一部４０Ｅを、板紙４０の切断線５１，５２で囲まれる部分のうちで収容空間２０の底面部２１に接触させる一辺と向き合う対向辺に対して、その重なる部分１０Ｃ，１０Ｄが接近した状態になって仕切り空間（中段の仕切り空間１４〜１６と上段の仕切り空間１７〜１９）を形成する第１の位置（Ｐ１）に変位させている。
しかし、この仕切り部材１Ａにあっては、例えば、図６、図７等に示されるように、板紙４０の上記重なる部分１０Ｃ，１０Ｄを含む一部４０Ｅを、板紙４０の切断線５１，５２で囲まれる部分のうちで上記対向辺に対して、その重なる部分１０Ｃ，１０Ｄが離間した状態になって仕切り空間（上記１４〜１９）を消失させる第２の位置（Ｐ２）に変位させることができる。
つまり、この仕切り部材１Ａは、その一部４０Ｅが上記第１の位置（Ｐ１）と第２の位置（Ｐ２）の間で変位するように可動させることができる構造になっている。ちなみに、板紙４０の上記一部４０Ｅが第２の位置（Ｐ２）に変位している状態は、仕切り部材１Ａの組立て時における一過程の状態でもある。
【００４３】
この場合、板紙４０の上記重なる部分１０Ｃ，１０Ｄを含む一部４０Ｅは、図７等に示されるように、折り曲げ線６のうち切断線５１の有限の端部と直交する直交線６１からなる折り曲げ線６ａを中心にして両矢印で示す方向に揺動させることになる。また、仕切り部材１Ａは、板紙４０の上記重なる部分１０Ｃ，１０Ｄを含む一部４０Ｅを第２の位置（Ｐ２）に変位させたときには、図７等に示されるように、下段になる仕切り空間１１〜１３だけが形成されたままで残る形態になる。
【００４４】
さらに、横置きで収容するときの仕切り部材として利用する場合の仕切り部材１Ａは、図６や図７に示されるように、板紙４０の折り曲げ線６で折り曲げられて重なる部分１０Ｃ，１０Ｄを含む他の一部４０Ｆを、板紙４０の切断線５１，５２で囲まれる部分のうちで収容空間２０の底面部２１に接触させる一辺に対して、その重なる部分１０Ｃ，１０Ｄが接近した状態になって仕切り空間（下段の仕切り空間１１〜１３）を形成する第３の位置（Ｐ３）に変位させている。
また、この仕切り部材１Ａにあっては、例えば、図７、図８等に示されるように、板紙４０の上記重なる部分１０Ｃ，１０Ｄを含む他の一部４０Ｆを、板紙４０の切断線５１，５２で囲まれる部分のうちで上記一辺に対して、その重なる部分１０Ｃ，１０Ｄが覆い被せる状態になって仕切り空間（上記１１〜１３）を消失させる第４の位置（Ｐ４）に変位させることもできる。
つまり、この仕切り部材１Ａは、板紙４０の他の一部４０Ｆも上記第３の位置（Ｐ３）と第４の位置（Ｐ２）の間で変位するように可動させることができる構造になっている。ちなみに、板紙４０の他の一部４０Ｆが第４の位置（Ｐ４）に変位している状態は、仕切り部材１Ａの組立て時における一過程の状態でもある。
【００４５】
この場合、板紙４０の上記重なる部分１０Ｃ，１０Ｄを含む他の一部４０Ｆは、図６から図８等に示されるように、折り曲げ線６のうち切断線５２の有限端部と直交する直交線６１からなる折り曲げ線６ｂを中心にして両矢印で示す方向に揺動させることになる。また、仕切り部材１Ａは、図８等に示されるように、板紙４０の上記一部４０Ｅを第２の位置（Ｐ２）に変位させるとともに板紙４０の上記他の一部４０Ｆを第４の位置（Ｐ４）に変位させたときには、下段になる仕切り空間１１〜１３も消失した状態になり、単に支柱としての重なる部分１０Ａ，１０Ｂによって上下方向に長い３列の仕切り空間のみが存在する形態になる。
【００４６】
＜仕切り部材１Ａの縦置き収容時の使用例＞
この仕切り部材１Ａは、まず、前述したように縦置きの仕切り部材として使用することができる。
【００４７】
この場合、仕切り部材１Ａは、収容箱２の収容空間２０に対し、折り曲げられて２つの重なる部分１０Ａ，１０Ｂのうち長手方向における下辺部を収容空間２０の底面部２１に接触させた状態（図３参照）で設置される。この際、仕切り部材１Ａは、その９つの仕切り空間１１〜１９のすべてが上方にむけて開口した縦向きの（起立した）状態になり、収容空間２０を４つの側面部２２〜２５と協働して上方から見たときに縦横の方向に３列ずつ並んだ計９つの分割空間に仕切ることになる。
【００４８】
そして、このときの被収容物の収容は、収容箱２の収容空間２０が仕切り部材１Ａにより仕切られた９つの分割空間に、９つの被収容物３Ａを縦置きの状態で個別に収容することで行われる。このときの収容は、被収容物３Ａの収容が終わった後、収容箱２の蓋部２６〜２９を閉じて固定することによって終了する。
一方、この収容箱２に縦置きで収容されている被収容物３Ａの取り出しは、収容箱２の蓋部２６〜２９を開けた後、仕切り部材１Ａにより仕切られた９つの分割空間から被収容物３Ａを１つずつ上方に持ち上げるようにして取り出すことで行われる。
【００４９】
＜仕切り部材１Ａの横置き収容時の使用例＞
また、この仕切り部材１Ａは、前述したように横置きの仕切り部材として使用することもできる。
【００５０】
この場合、仕切り部材１Ａは、図１等に示されるように、収容箱２の収容空間２０に対し、折り曲げられて２つの重なる部分１０Ａ，１０Ｂのうち長手方向における一端部を収容空間２０の底面部２１に接触させた状態（図６参照）で設置される。この際、仕切り部材１Ａは、その９つの仕切り空間１１〜１９のすべてが横方向にむけて開口した横向き（横倒し）の状態になり、収容空間２０を４つの側面部２２〜２５と協働して横方向に３列上下方向に３段で存在する計９つの分割空間に仕切ることになる。
なお図１では、仕切り部材１Ａを２つ同時に使用する場合について後述するため、便宜上、仕切り部材１Ａを収納箱２の側面部２２との間に余分な空間（もう１つの仕切り部材１Ａを設置する空間）が存在する状態で設置されているように示されている。しかし、ここでは、仕切り部材１Ａが、その余分な空間がなく側面部２２と接触又は接近した状態で配置されていることを前提として説明する。また、被収容物３Ｂとしては、一方向に長い筒状の長尺物（前記現像剤収容容器など）を想定している。さらに、収容箱２０の収容空間２０については、その底面部２１がほぼ３ｋ×４ｋの寸法からなる長方形の平面形状からなり、その高さがほぼ３ｋの寸法からなる空間を想定している。
【００５１】
そして、このときの被収容物の収容は、収容箱２の収容空間２０が仕切り部材１Ａによって仕切られた９つの分割空間に、９つの被収容物３Ｂ（３１〜３９）を横置きの状態でかつ横３列上下３段に積み重ねた状態で個別に収容することで行われる（図１の右側に二点鎖線で描かれた状態を参照）。
【００５２】
特にこの仕切り部材１Ａを使用した横置きの収容に際しては、まず、図９、図１０等に示されるように、一部の蓋部２４を一側面部２４に接近させるまで開けた状態にした収容箱２（図１０（ａ））の一部に、仕切り部材１Ａを引っ掛けて保持させた状態にする（図１０（ｂ））。
【００５３】
すなわち、仕切り部材１Ａについて、図８に示されるように、前述した板紙４０の一部４０Ｅを第２の位置（Ｐ２）に変位させた状態（図７も参照）にするとともに、板紙４０の他の一部４０Ｆを第４の位置（Ｐ４）に変位させた状態にしたうえで、板紙４０の一部に設けた引っ掛け用切欠き部８を、蓋部２４の付け根部分と側面部２４の上端部分に跨って挟んだ状態で引っ掛ける。
これにより、仕切り部材１Ａは、図９や図１０（ｂ）に示されるように、収容箱２の蓋部２４を開けた状態に保持したままで、収容箱２の収容空間２０内で自立した状態で保持されることになる。また、この仕切り部材１Ａは、収容箱２の一部に保持させた状態において、その折り曲げて重なる長尺の部分１０Ａ，１０Ｂが上下方向に立った状態で存在し、底面部２１の側面部２４寄りの部分を３つの空間に仕切った状態になる。
【００５４】
このため、この最初の段階では、図９に示されるように、下段の３列として収容する被収容物３Ｂ（３１〜３３）を収容箱２の収容空間２０内に収容する際、例えば仕切り部材１Ａを片手で支えて保持する必要がなく、下段に収容する３つの被収容物３Ｂ（３１〜３３）を、その仕切り部材１Ａの重なる長尺の部分１０Ａ，１０Ｂで上下に仕切られた３つの空間に沿って収容箱２の底面部２１に降ろして、下段の下面部になる底面部２１に横置きの状態で置くことで、容易に収容することができる。
【００５５】
続いて、この横置きの収容に際しては、仕切り部材１Ａについて、図１１に示されるように、前述した板紙４０の他の一部４０Ｆを第４の位置（Ｐ４）から第３の位置（Ｐ３）に変位させた状態にする（図７も参照）。このとき板紙４０の一部４０Ｅは、第２の位置（Ｐ２）に変位した状態のままである。また仕切り部材１Ａの全体も、引っ掛け用切欠き部８を介して収容箱２の一部に引っ掛けられた状態のままである。
【００５６】
この仕切り部材１Ａにおける板紙４０の他の一部４０Ｆを第３の位置（Ｐ３）に変位させることにより、収容箱２の収容空間２０には、下段部になる仕切り空間１１〜１３が形成されることになる。この仕切り空間１１〜１３によって収容空間２０に先に収容した３つの被収容物３Ｂ（３１〜３３）が安定して保持されるようになる。しかも、この際、収容箱２の収容空間２０には、仕切り部材１Ａによって中段になる仕切り空間１４〜１６の下面部などの一部も形成された状態になる。このときの中段の一部を構成する板紙４０の他の一部４０Ｆは、特に中段の下面部を形成する板紙４０の部分が、折り曲げで重なる２つの部分１０Ｃ，１０Ｄを底面部２１に接触させた状態で保持されるので、安定して保持されることになる。
【００５７】
このため、この収容途上の段階でも、図１１に示されるように、中段の３列として収容する被収容物３Ｂ（３４〜３６）を収容箱２の収容空間２０内に収容する際、例えば仕切り部材１Ａや収容済みの被収容物３Ｂ（３１〜３３）を手で押さえて保持する必要もなく、中段に収容する３つの被収容物３Ｂ（３４〜３６）を、その仕切り部材１Ａの重なる長尺の部分１０Ａ，１０Ｂで上下に仕切られた３つの空間に沿って降ろし、他の部分４０Ｆで構成される中段の下面部に横置きの状態に置くことで、容易に収容することができる。
【００５８】
最後に、この横置きの収容に際しては、仕切り部材１Ａについて、図１に示されるように、前述した板紙４０の一部４０Ｅを第２の位置（Ｐ２）から第１の位置（Ｐ１）に変位させた状態にする（図６も参照）。
【００５９】
この仕切り部材１Ａにおける板紙４０の一部４０Ｅを第１の位置（Ｐ１）に変位させることにより、収容箱２の収容空間２０は、中段になる仕切り空間１４〜１６が完成した状態になる。この仕切り空間１４〜１６によって先に中段に収容した３つの被収容物３Ｂ（３４〜３６）が安定して保持されるようになる。しかも、この際、収容箱２の収容空間２０には、仕切り部材１Ａによって上段になる仕切り空間１７〜１９の下面部などの一部も形成された状態になる。このときの中段の上面部と上段の下面部を構成する板紙４０の一部４０Ｅは、前述したように３箇所の折り曲げ線に沿う部分で支えられて保持されるので、安定して保持されることになる。
【００６０】
このため、この収容の最終段階でも、図１に示されるように、上段の３列として収容する被収容物３Ｂ（３７〜３９）を収容箱２の収容空間２０内に収容する際、例えば収容済みの被収容物３Ｂ（３４〜３６）を片手で押さえて保持する必要もなく、上段に収容する３つの被収容物３Ｂ（３７〜３９）を、その仕切り部材１Ａの重なる長尺の部分１０Ａ，１０Ｂと他の重なる部分１０Ｃ，１０Ｄで仕切られた３つの仕切り空間１７〜１９に降ろし、板紙４０の部分４０Ｅで構成される上段の下面部に横置きの状態に置くことで、容易に収容することができる。
【００６１】
一方、収容箱２に横置きで収容されている被収容物３Ｂの取り出しは、通常、収容箱２の蓋部２６〜２９を開けた後、仕切り部材１Ａにより仕切られた上段、中段及び下段の分割空間から被収容物３Ｂを３つずつ順次取り出すことで行われる。
【００６２】
まず、仕切り部材１Ａはそのままの状態にしたうえで（図１、図３）、上段にある３つの被収容物３Ｂ（３７〜３９）を１つずつ持ち上げて取り出す。
続いて、仕切り部材１Ａにおける板紙４０の一部４０Ｅを第１の位置（Ｐ１）から第２の位置（Ｐ２）に変位させた状態にする（図１１、図７）。これにより、収容箱２の収容空間２０では、上段の下面部（及び中段の上面部）が消失した状態になる。この状態にした後に、中段にある３つの被収容物３Ｂ（３４〜３６）を１つずつ持ち上げ取り出す（図１１）。
最後に、仕切り部材１Ａにおける板紙４０の他の一部４０Ｆを第３の位置（Ｐ３）から第４の位置（Ｐ４）に変位させた状態にする（図９、図８）。これにより、収容箱２の収容空間２０では、中段の下面部（及び下段の上面部）が消失した状態になる（この際、上段はすでに消失している）。この状態にした後に、下段にある３つの被収容物３Ｂ（３１〜３３）を１つずつ持ち上げ取り出す（図９）。
なお必要により、仕切り部材１Ａを最終的に収容箱２の収容空間２０から取り出せばよい。
【００６３】
このように仕切り部材１Ａによれば、横置きで収容するときの仕切りとして使用した場合、被収容物３Ｂの収容時や取り出し時に、仕切り部材１Ａを手で支えることや、仕切り部材１Ａを収容箱２から一時的に取り外すことが必要ではなく、その収容作業や取り出し作業を容易にかつ効率よく行うことができる。
【００６４】
＜実施の形態１に関する変形例＞
図１２から図１５は、実施の形態１に係る展開板４Ａ及び仕切り部材１Ａを少し変更した構成からなる展開板４Ｂ及び仕切り部材１Ｂを示すものである。
【００６５】
この変形例における展開板４Ｂは、図１２に示されるものであるが、実施の形態１に係る展開板４Ａ（図５）と対比した場合、次の点で相違するのみである。
すなわち、変形例における展開板４Ｂは、板紙４０の内側領域に、切断線５１，５２のうち平行して向き合う２つの直線部分５１ｂ，５１ｃ（５２ｂ，５２ｃ）に挟まれた１つの直線部分５１ａ（５２ａ）と１つの直線部分５１ａ（５２ａ）の両端部から互いに背中合わせで接近するように延びて向き合う２つの直線部分５１ｂ，５１ｃ（５２ｂ，５２ｃ）に挟まれる領域内で接触する２つの円弧状の曲線５３Ａ，５３Ｂ（５４Ａ，５４Ｂ）とで囲まれる部分を切除してなる４つの切り欠き部７ａ，７ｂが追加して設けられている。
【００６６】
この切り欠き部７ａ，７ｂは、その２つの円弧状の曲線５３Ａ，５３Ｂ（５４Ａ，５４Ｂ）が、切断線５１，５２で囲まれる部分を折り曲げたときに重なる部分１０Ａ，１０Ｂの角部を、その円弧状の曲線が外形線になる丸みのある角部にすることになる（図１４、図１５）。
これにより、展開板４Ｂから組立てられる仕切り部材１Ｂにおいて、前述した折り曲げで重なる部分１０Ｃ，１０Ｄを含む板紙４０の部分４０Ｅを前記第１の位置（Ｐ１）と第２の位置（Ｐ２）の間で変位させる際や、その重なる部分１０Ｃ，１０Ｄを含む板紙４０の他の部分４０Ｆを前記第３の位置（Ｐ３）と第４の位置（Ｐ４）の間で変位させる際に（図１５）、その板紙の部分４０Ｅや他の部分４０Ｆが、重なる部分１０Ａ，１０Ｂの角部（丸みのある角部）に接触することを回避しながら、その変位させる動きを円滑に行うことができる。円弧状の曲線５３Ａ，５３Ｂ（５４Ａ，５４Ｂ）としては、例えば分割単位長さｋを半径とする円における１／４の円弧になる曲線が適用されるが、これとは異なる円弧の曲線を適用してもよい。また、切り欠き部７ａ，７ｂは、その一部が２つの円弧状の曲線５３Ａ，５３Ｂ（５４Ａ，５４Ｂ）で構成されているため、板紙４０において切除する部分の面積を小さくすることができ、切除による無駄を抑制できる。
なお、切り欠き部７ａ，７ｂは、２つの円弧状の曲線５３Ａ，５３Ｂ（５４Ａ，５４Ｂ）に変えて、上記１つの直線部分５１ａ（５２ａ）から向き合う２つの直線部分５１ｂ，５１ｃ（５２ｂ，５２ｃ）の一部に達する直線を採用して構成することもできる。
【００６７】
この変形例における仕切り部材１Ｂは、図１３に示されるように展開板４Ｂを折り曲げ線６に沿って谷折り又は山折りに折り曲げることにより、図１４、図１５等に示されるような９つの仕切り空間１１〜１９を有する形態の仕切り部材として組立てられる。
【００６８】
この仕切り部材１Ｂは、前述した仕切り部材１Ａの場合と同様に、縦置きの仕切り部材として使用することができる。
【００６９】
この場合、仕切り部材１Ｂは、収容箱２の収容空間２０に対し、折り曲げられて２つの重なる部分１０Ａ，１０Ｂのうち長手方向における直線状の下辺部を収容空間２０の底面部２１に接触させた状態（図１４参照）で設置される。この際、仕切り部材１Ｂは、その９つの仕切り空間１１〜１９のすべてが上方にむけて開口した縦向きの（起立した）状態になり、収容空間２０を４つの側面部２２〜２５と協働して上方から見たときに縦横の方向に３列ずつ並んだ計９つの分割空間に仕切ることになる。
【００７０】
また、この仕切り部材１Ｂは、被収容物３Ａの収容箱２のへの縦置き収容と収容箱２からの取り出しを前述した仕切り部材１Ａの縦置き収容に使用した場合と同様に行うことができる。
【００７１】
そして、この仕切り部材１Ｂは、前述した仕切り部材１Ａの場合と同様に、横置きの仕切り部材として使用することもできる。
【００７２】
この場合、仕切り部材１Ｂは、収容箱２の収容空間２０に対し、折り曲げられて２つの重なる部分１０Ａ，１０Ｂのうち長手方向における一端部（実際には丸みのある角部）を収容空間２０の底面部２１に接触させた状態（図１５参照）で設置される。この際、仕切り部材１Ｂは、その９つの仕切り空間１１〜１９のすべてが横方向にむけて開口した横向き（横倒し）の状態になり、収容空間２０を４つの側面部２２〜２５と協働して横方向に３列上下方向に３段で存在する計９つの分割空間に仕切ることになる。
【００７３】
また、この仕切り部材１Ｂは、被収容物３Ｂの収容箱２への横置き収容と収容箱２からの取り出しを前述した仕切り部材１Ａの横置き収容に使用した場合と同様に行うことができる。
ちなみに、この仕切り部材１Ｂにおいても、前述した板紙４０の部分４０Ｅを前記第１の位置（Ｐ１）と第２の位置（Ｐ２）の間で変位させることや、重なる部分１０Ｃ，１０Ｄを含む板紙４０の他の部分４０Ｆを前記第３の位置（Ｐ３）と第４の位置（Ｐ４）の間で変位させることが可能である。
【００７４】
［比較参考例１］
ここで、実施の形態１に係る仕切り部材１Ａ（展開板４Ａ）について、縦置きの収容に使用される従来の仕切り部材１００（展開板４Ｒ）と比較しながら説明する。
【００７５】
まず従来の仕切り部材１００は、図３３（ａ）に示されるように、９つの仕切り空間１１〜１９を有する形態の仕切り部材である。そして、この従来の仕切り部材１００は、図３４に示される展開板４Ｒを折り曲げて組立てられるものである。
【００７６】
この展開板４Ｒは、図３４に示されるように、四角形の平面形状からなる１枚の板紙４０と、板紙４０の内側領域を板紙４０の少なくとも２辺（４０ａ，４０ｂ，４０ｃ，４０ｄのいずれか２つであり、本例では４０ｂ，４０ｄの２辺）から切り込まれて残り２辺（本例では４０ａ，４０ｄの２辺）に平行して延びる有限の切断線５０１、５０２で切断してなる８つの切断部５０（５０ａ、５０ｂ）と、板紙４０に切断線５０１，５０２の一部に直交して延びる直交線６０１と切断線５０１，５０２の一部から連続して延びる延長線６０３と切断線と平行する平行線６０５からなる折り曲げ線６０とを備えて構成されている。
【００７７】
このうち板紙４０は、実施の形態１における板紙４０とほぼ同様のものである。この板紙４０は、その横の寸法が同じ７ｋの寸法であるが、その縦の寸法が３ｋの寸法とほぼ同じ（少し長い）寸法になっている。また、切断線５０１、５０２はいずれも、１ｋより少し長い寸法からなる有限の直線で構成されており、上記２辺４０ｂ，４０ｄの間で互いに向き合い中央において１ｋの寸法の部分を残して終端とされている。さらに、折り曲げ線６０は、上述した直交線６０１と延長線６０３と平行線６０５を組み合わせることで構成されているが、それらは谷折りされる折り曲げ部分と山折りされる折り曲げ部分のいずれかになる。ちなみに、折り曲げ線６０の平行線６０５は、切断線５０１、５０２と一切交わることがない。
【００７８】
この展開板４Ｒを谷折り及び山折りして折り曲げることにより組立てられる従来の仕切り部材１００は、図３３（ｂ）に示されるように、前述した実施の形態１に係る仕切り部材１Ａ（１Ｂ）の場合と同様に、縦置きの仕切り部材として使用するものである。
【００７９】
この場合、従来の仕切り部材１００は、収容箱２の収容空間２０に対し、板紙４０の切断線５０１，５０２の４本で挟まれる部分が折り曲げられた２つの重なる部分１０１Ａ，１０１Ｂのうち長手方向における直線状の下辺部を収容空間２０の底面部２１に接触させた状態（図３３（ａ）参照）で設置される。この際、仕切り部材１００は、その９つの仕切り空間１１〜１９のすべてが上方にむけて開口した縦向きの（起立した）状態になり、収容空間２０を４つの側面部２２〜２５と協働して上方から見たときに縦横の方向に３列ずつ並んだ計９つの分割空間に仕切ることになる。
また、この仕切り部材１００は、被収容物３Ａの収容箱２のへの縦置き収容と収容箱２の収容空間２０からの取り出しを前述した仕切り部材１Ａの縦置き収容に使用した場合と同様に行うことができる。
【００８０】
一方、この従来の仕切り部材１００は、横置きの仕切り部材として使用とすると、次の不具合がある。
【００８１】
つまり、この従来の仕切り部材１００は、横置きの仕切り部材として使用する場合は、例えば、図３５（ｂ）に例示するように、収容箱２の収容空間２０に対し、折り曲げられて２つの重なる部分１０１Ａ，１０１Ｂのうち長手方向における一端部を収容空間２０の底面部２１に接触させた状態（図３５（ａ）も参照）で設置される。この際、仕切り部材１００、その９つの仕切り空間１１〜１９のすべてが横方向にむけて開口した横向き（横倒し）の状態になり、収容空間２０を４つの側面部２２〜２５と協働して横方向に３列上下方向に３段で存在する計９つの分割空間に仕切ることになる。
【００８２】
しかし、この従来の仕切り部材１００にあっては、図３５に示されるように、板紙４０のうち上段の上面部（中段の下面部）を構成する部分４４と中段の上面部（下段の上面部）を構成する部分４５とがいずれも、直交線６０１からなる折れ曲げ線６０を含む１箇所の部分で支持されているので、その上下方向に容易に揺動してしまい、自力で保持されにくい状態にある。
【００８３】
このため、従来の仕切り部材１００にあっては、その横置きの収容に際し、上段や中段を構成する板紙４０の一部４４，４５を手で支えて収容作業を行わなければならず、作業性が悪い。
この点、実施の形態１に係る仕切り部材１Ａ（１）にあっては、前述した通り、その横置きの収容に際し、板紙４０の一部を手で支えることが必要でなく、その収容作業を容易にかつ効率よく行うことができる。
【００８４】
しかも、従来の仕切り部材１００にあっては、支柱として利用する重なる部分１０１Ａ
，１０１Ｂと収容空間２０の側面部（例えば側面部２１）との隙間が大きくなると、仕切り部材１００が収容空間２０内で自立し難くなり、この場合にも作業性が悪くなる。
この点、実施の形態１に係る仕切り部材１Ａ（１）にあっては、前述した通り、引っ掛け用切欠き部８を介して収容箱２の一部に引っ掛けることにより、仕切り部材１Ａ（１）を収納空間２０内で容易に自立させておくことができるので、その作業性が向上される。
ちなみに、従来の仕切り部材１００において、その重なる部分１０１Ａ，１０１Ｂと収容空間２０の側面部２１との隙間をなくすために重なる部分１０１Ａ，１０１Ｂの寸法を増加させる対策を採用した場合は、その展開板４Ｓにおける板紙４０の平面積が増えることになり、その分コストの増加を招くことになる。
【００８５】
したがって、この従来の仕切り部材１００は、横置きの仕切り部材として使用することに適していなかった。
【００８６】
［実施の形態２］
図１６から図２１は、実施の形態２に係る展開板４Ｃ及び仕切り部材１Ｃを示すものである。
【００８７】
実施の形態２に係る展開板４Ｃは、図１６に示されるように、四角形の平面形状からなる１枚の板紙４０と、板紙４０の内側領域を板紙４０の４辺（４０ａ，４０ｂ，４０ｃ，４０ｄのすべて）に平行で連続して延びる有限の切断線５５、５６で切断してなる２つの切断部５（５ｃ、５ｄ）と、板紙４０に切断線５５、５６の一部に直交して延びる直交線６１と切断線５５、５６の一部から連続して延びる延長線６３とからなる折り曲げ線６とを備えて構成されているものである。
【００８８】
＜展開板４Ｃの構成＞
この展開板４Ｃは、実施の形態１に係る展開板４Ａと対比した場合、切断部５（５ｃ、５ｄ）が異なる切断線５５、５６で構成されている点と、板紙４０の切断部５（５ｃ、５ｄ）で囲まれる部分を折り曲げない点で相違する以外は実施の形態１に係る展開板４Ａと同じ構成からなっている。
【００８９】
展開板４Ｃにおける２つの切断部５（５ｃ、５ｄ）は、板紙４０の４辺４０ｃ，４０ｄ，４０ａ，４０ｂ，４０ｃの順に平行で連続して延びる有限の切断線５５で切断された１つの切断部５ｃと、板紙４０の４辺４０ａ，４０ｂ，４０ｃ，４０ｄ，４０ａの順に平行で連続して延びる有限の切断線５６で切断された１つの切断部５ｄである。この各切断部５ｃ，５ｄは、図１６において実線で示している部分になり、その部分は実際に切断線５１、５２で切断されている部分になる。また、この切断部５ｃ，５ｄは、例えば、その内側（各切断線５５，５６で囲まれる内側）に存在する板紙４０の領域部分を、仕切り部材１に組立てた段階において支柱部分として使用する目的で形成されている。
【００９０】
切断部５ｃを構成する切断線５５は、板紙４０の分割単位長さｋを整数倍した長さに設定されており、実施の形態１では９ｋの長さに設定されている。切断線５５については、図１６中において右側中央が開口したほぼ長方形に近い線画になる直角折れ直線になっている。また、切断部５ｄを構成する切断線５６についても、９ｋの長さに設定されており、図１６中において左側中央が開口したほぼ長方形に近い線画になる直角折れ曲げ直線になっている。さらに、切断線５５と切断線５６は、板紙４０の長辺に沿う方向において１つの分割単位長さｋだけ間隔をあけて、その開口した側が互いに向き合う状態で配置されている。実施の形態２における切断線５５、５６についても、板紙４０の長辺及び短辺を分割単位長さｋの間隔で平行に引いた複数の直線が互いに直交して得られる碁盤の目のような直交線（罫線）のいずれかの部分に沿って形成されている。
【００９１】
＜仕切り部材１Ｃの構成＞
仕切り部材１Ｃは、この展開板４Ｃを折り曲げ線６に沿って谷折り又は山折りに折り曲げることにより、図１７、図１８等に示されるような９つの仕切り空間１１〜１９を有する形態の仕切り部材として組み立てられる。
【００９２】
図１７における仕切り部材１Ｃは、被収容物３を縦置きで並べた状態で収容するときの仕切り部材として利用する場合の状態で示されている。このため、この仕切り部材１Ｃは、その仕切り空間１１〜１９のすべてが上方にむけて開口した縦向きの（起立した）状態になる。また、この仕切り部材１Ａは、縦置きの仕切り部材として使用する場合、上方から見たときに縦横に３列ずつ並んだ井桁状の仕切り空間１１〜１９が存在するものになる（図４参照）。
【００９３】
この場合、仕切り部材１Ｃは、切断部５ｃ，５ｄでそれぞれ囲まれる部分がその内側において折れ曲げられることなく開口した部分で折り曲げ線６（６３）で谷折りされることで１枚の板状部分１０Ｅ、１０Ｆとなり、その谷折りした部分が含まれる下辺部を収容空間２０の底面部２１に接触させた状態で設置して使用される。また、このときの仕切り部材１Ｃは、板紙４０の折り曲げ線６で囲まれた分割部分４１，４２，４３が底面となり、その分割部分４１，４２，４３を収容空間２０の底面部２１に接触させた状態で設置することにもなる。また、このときの仕切り部材１Ｃは、図１６において２つの切断部５ｃ，５ｄの上下にそれぞれ位置して谷折りで折り曲げられる部分が４つの重なる部分１０Ｇ，１０Ｈになり、その４つの重なる部分１０Ｇ，１０Ｈを上記した板状部分１０Ｅ，１０Ｆの側方から覆い被せる状態になる。
さらに、このときの仕切り部材１Ｃは、仕切り空間１１〜１９のすべてが２面を板紙４０の２ｋの寸法からなる部分で囲まれた空間として形成されることになる。
【００９４】
また、この展開板４Ｃから組み立てられる仕切り部材１Ｃは、図１８、図２１等に示されるように、その仕切り空間１１〜１９のすべてが収容空間２０において横方向にむけて開口した横向きの（横倒し）状態になるよう設置することで、被収容物３を横置きで積み重ねた状態で収容するときの仕切り部材として利用することも可能になっている。
仕切り部材１Ｃは、この横置きの仕切り部材として使用する場合、その横方向（側方）から見たときに横方向に３列、縦方向に３段になった井桁状の仕切り空間１１〜１９が存在するものになる。
【００９５】
この場合、仕切り部材１Ｃは、上記板状部分１０Ｅ、１０Ｆの長手方向における辺部の一部を収容空間２０の底面部２１に接触させた状態で設置して使用される。この際、２つの板状部分１０Ｅ、１０Ｆが支柱の役割をする。また、このときの仕切り部材１Ｃは、上記４つの重なる部分１０Ｇ，１０Ｈのうち上記板状部分１０Ｅ、１０Ｆの下部の一部分を覆い隠す状態になる２つの重なる部分１０Ｈも、収容空間２０の底面部２１に接触させた状態で設置することになる。
【００９６】
さらに、このときの仕切り部材１Ｃは、板紙４０の折り曲げ線６で囲まれた分割部分４１，４２，４３が、収納空間２０の１つの側面部（２４）に接触する状態にされて使用される（図２１）。また、このときの仕切り部材１Ｃは、仕切り空間１４〜１９のすべてが、板紙４０の２ｋの寸法からなる部分で囲まれた空間として形成されることになる。そして、このときの９つの仕切り空間１１〜１９を形成する板紙４０の部分は、自力で保持される。すなわち、下段の仕切り空間１１〜１３を形成する部分は、その重なる部分１０Ｈが収容空間２０の底面部２１と接触することで強く支えられて保持される。また、中段の仕切り空間１４〜１６及び上段の仕切り空間１７〜１９を形成する板紙４０の部分（後述する部分４０Ｇ）は、その重なる部分１０Ｇが板状部分１０Ｅ，１０Ｆの上部の一部を跨って覆い隠す状態になることで強く支えられて保持される。
【００９７】
この横置きで収容するときに使用する仕切り部材１Ｃは、図１８に示されるように、板紙４０の折り曲げ線６で折り曲げられて重なる２つの部分１０Ｈを含む一部４０Ｈを、板紙４０の板状部分１０Ｅ，１０Ｈに対して、その重なる２つの部分１０Ｈが板状部分１０Ｅ，１０Ｈの下辺部の一部に下から跨いで覆い隠す状態になって仕切り空間（下段の仕切り空間１１〜１３と中段の仕切り空間１４〜１６）をそれぞれ形成する第５の位置（Ｐ５）に変位させている。
また、この仕切り部材１Ｃにあっては、例えば、図１９等に示されるように、板紙４０の上記重なる部分１０Ｃ，１０Ｄを含む一部４０Ｅを、その重なる２つの部分１０Ｈが上記板状部分１０Ｅ，１Ｆから離間した状態になって仕切り空間（上記１１〜１６）を消失させる第６の位置（Ｐ６）に変位させることもできる。
つまり、この仕切り部材１Ｃは、その一部４０Ｅが上記第５の位置（Ｐ５）と第６の位置（Ｐ６）の間で変位するように可動させることができる構造になっている。ちなみに、板紙４０の上記一部４０Ｈが第６の位置（Ｐ６）に変位している状態は、仕切り部材１Ｃの組立て時における一過程の状態でもある。
【００９８】
この場合、板紙４０の上記重なる部分１０Ｈを含む一部４０Ｈは、図１９等に示されるように、折り曲げ線６のうち切断線５５，５６の一部と有限の端部と直交する直交線６１からなる折り曲げ線６ｃを中心にして両矢印で示す方向に揺動させることになる。また、仕切り部材１Ｃは、板紙４０の上記重なる部分１０Ｈを含む一部４０Ｈを第６の位置（Ｐ６）に変位させたときには、図１９等に示されるように、上段になる仕切り空間１７〜１９だけが形成されたままで残る形態になる。
【００９９】
さらに、横置きで収容するときに使用する仕切り部材１Ｃは、図１９に示されるように、板紙４０の上記重なる２つの部分１０Ｇを含む他の一部４０Ｇを、板紙４０の上記板状部分１０Ｅ，１０Ｆの上辺部に対して、その重なる部分１０Ｇが覆い被さる状態になって仕切り空間（上段の仕切り空間１７〜１９）を形成する第７の位置（Ｐ７）に変位させている。
しかし、この仕切り部材１Ｃにあっては、例えば、図２０等に示されるように、板紙４０の上記重なる部分１０Ｇを含む他の一部４０Ｇを、板紙４０の上記板状部分１０Ｅ，１０Ｆの上辺部に対して、その重なる部分１０Ｇが離間して状態になって仕切り空間（上記１７〜１９）を消失させる第８の位置（Ｐ８）に変位させることもできる。
つまり、この仕切り部材１Ｃは、板紙４０の他の一部４０Ｇも上記第７の位置（Ｐ７）と第８の位置（Ｐ８）の間で変位するように可動させることができる構造にもなっている。ちなみに、板紙４０の他の一部４０Ｇが第８の位置（Ｐ８）に変位している状態は、仕切り部材１Ｃの組立て時における一過程の状態でもある。
【０１００】
この場合、板紙４０の上記重なる部分１０Ｇを含む他の一部４０Ｇは、図１９から図２０等に示されるように、折り曲げ線６のうち切断線５５、５６の一部と直交する直交線６１からなる折り曲げ線６ｄを中心にして両矢印で示す方向に揺動させることになる。また、仕切り部材１Ｃは、図２０等に示されるように、板紙４０の上記一部４０Ｈを第６の位置（Ｐ６）に変位させるとともに板紙４０の上記他の一部４０Ｇを第８の位置（Ｐ８）に変位させたときには、上段になる仕切り空間１７〜１９も消失した状態になり、単に支柱としての板状部分１０Ｅ，１０Ｆによって上下方向に長い３列の仕切り空間のみが存在する形態になる。
【０１０１】
＜仕切り部材１Ｃの縦置き収容時の使用例＞
この仕切り部材１Ｃは、前述したように縦置きの仕切り部材として使用することができる。
【０１０２】
この場合、仕切り部材１Ｃは、収容箱２の収容空間２０に対し、板紙４０の２つの板状部分１０Ｅ，１０Ｆのうち長手方向における直線状の下辺部を収容空間２０の底面部２１に接触させた状態（図１７参照）で設置される。この際、仕切り部材１Ｃは、その９つの仕切り空間１１〜１９のすべてが上方にむけて開口した縦向きの（起立した）状態になり、収容空間２０を４つの側面部２２〜２５と協働して上方から見たときに縦横の方向に３列ずつ並んだ計９つの分割空間に仕切ることになる。
【０１０３】
また、この仕切り部材１Ｃは、被収容物３Ａの収容箱２のへの縦置き収容と収容箱２からの取り出しを前述した実施の形態１に係る仕切り部材１Ａの縦置き収容に使用した場合と同様に行うことができる。
【０１０４】
＜仕切り部材１Ａの横置き収容時の使用例＞
また、この仕切り部材１Ｃは、前述したように横置きの仕切り部材として使用することもできる。
【０１０５】
この場合、仕切り部材１Ｃは、図２１に示されるように、収容箱２の収容空間２０に対し、板紙４０の２つの板状部分１０Ｅ，１０Ｆのうち短手方向における一端部の一部を収容空間２０の底面部２１に接触させた状態（図１８参照）で設置される。この際、仕切り部材１Ｃは、その９つの仕切り空間１１〜１９のすべてが横方向にむけて開口した横向き（横倒し）の状態になり、収容空間２０を４つの側面部２２〜２５と協働して横方向に３列上下方向に３段で存在する計９つの分割空間に仕切ることになる。
【０１０６】
また、この仕切り部材１Ｃは、以下の点を除いて、被収容物３Ｂの収容箱２への横置き収容と収容箱２からの取り出しを前述した前述した仕切り部材１Ａの横置き収容に使用した場合と同様に行うことができる。
【０１０７】
すなわち、この仕切り部材１Ｃの場合には、実施の形態１に係る仕切り部材１Ａ（１Ｂ）の場合のように、その板紙１０の他の部分４０Ｆを第４の位置（Ｐ４）に変位させて第下段の仕切り空間１１〜１３を一時的に消失させる状態（図８、図９参照）にすることができない。
このため、仕切り部材１Ｃを用いて被収容物３Ｂの横置き収容を行う場合、その下段に横置きする被収容物３Ｂ（３１〜３３）を収容するときには、まず、その被収容物３Ｂ（３１〜３３）を収容空間２０の底面部２１に降ろして収容する。しかる後、その収容空間２０に仕切り部材１Ｃを図２１に示すように設置する。
反対に、下段に横置きする被収容物３Ｂ（３１〜３３）を取り出す際には、仕切り部材１Ｃを収容空間２０から取り出する必要がある。続いて、収容空間２０の底面部２１に横置きされている被収容物３Ｂ（３１〜３３）を取り出すことになる。
【０１０８】
一方、このような不便な一面がある仕切り部材１Ｃであっても、中段及び上段に横置きする被収容物３Ｂ（３４〜３９）を収容する際やそれらを取り出す際には、仕切り部材１Ｃは、図２１に二点鎖線を含む状態で示されるように収容箱２の収容空間２０内で自立させて保持させておくことができる。
特に中段に横置きする被収容物３Ｂ（３４〜３６）を収容する際やそれらを取り出す際には、仕切り部材１Ｃについて、その板紙４０の他の部分４０Ｇを第８の位置（Ｐ８）に変位させた状態にすればよい（図１８、図２１）。これにより、そのときの収容及び取り出しの作業は、その他の部分４０Ｇが引っ掛け用切込み部８を介して収容箱２の一部に引っ掛けられて自立した状態におかれ、その仕切り部材１Ｃの一部を手で支えることなく、容易にかつ効率よく行うことができる。
【０１０９】
また、この仕切り部材１Ｃを用いて被収容物３Ｂの横置き収容を行う場合は、前述したように、収容箱２の収容空間２０に設置したときに、９つの仕切り空間１１〜１９を形成する板紙４０の部分４０Ｈ，４０Ｇが安定して保持されるので、中段及び上段に横置きする６つの被収容物３Ｂ（３４〜３９）を中段及び上段に安定した状態で収容することができる。
【０１１０】
［実施の形態３］
図２２と図２３は、実施の形態３に係る展開板４Ｄ及び仕切り部材１Ｄを示すものである。
【０１１１】
＜展開板４Ｄの構成＞
実施の形態３に係る展開板４Ｄは、図２２に示されるように、四角形の平面形状からなる１枚の板紙４０と、板紙４０の内側領域を板紙４０の１辺（４０ａ，４０ｂ，４０ｃ，４０ｄの４辺のいずれか１つ。本例では４０ｂ）のみから切り込まれて残り３辺（４０ａ，４０ｃ，４０ｄ）に平行で連続して延びる有限の切断線５７で切断してなる２つの切断部５ｅ，５ｅと、板紙４０に切断線５７の一部と直交して延びる直交線６１と切断線５７の一部から延長して延びる延長線６３とからなる折り曲げ線６とを備えて構成されているものである。
しかも、この展開板４Ｄは、２つの切断部５ｅ，５ｅにおける各切断線５７のうち直交して隣り合う２つの直線部分５７ａ，５７ｂとその隣り合う２つの直線部分５７ａ，５７ｂにその内側から接触する円弧状の曲線５８とで囲まれる部分を切除してなる２つの切り欠き部７ｃが追加して設けられているものである。
【０１１２】
このうち板紙４０は、実施の形態１における展開板１Ａの板紙４０と対比した場合、縦及び横の寸法が３ｋ×７ｋに変更されている点で相違するのみで、その他は同じ構成からなっている。
【０１１３】
また、展開板４Ｄにおける２つの切断部５はいずれも、板紙４０の１辺４０ｂから切り込まれて残り３辺４０ｃ，４０ｄ，４０ａの順に平行で連続して延びる有限の切断線５７で切断された切断部５ｅである。この切断部５ｅは、図２２において実線で示している部分になり、その部分は実際に切断線５１、５２で切断されている部分になる。また、この切断部５ｅは、例えば、その内側（各切断線５７で囲まれる内側）に存在する板紙４０の領域部分を、仕切り部材１Ｄに組立てた段階において支柱部分として利用する目的で形成されている。
【０１１４】
２つの切断部５ｅ，５ｅをそれぞれ構成する同種の切断線５７はいずれも、板紙４０の分割単位長さｋを整数倍した長さにそれぞれ設定されており、実施の形態１ではいずれも５ｋの長さに設定されている。また、２つの切断線５７はいずれも、図２２中において上端と左側部の一部が開口して全体がＬ字状の線画を描く直角折れ直線になっており、板紙４０の長辺に沿う方向において１つの分割単位長さｋだけ間隔をあけて並んだ状態で配置されている。この切断部５ｅ及び切断線５７の他の構成については、実施の形態１における切断部５ａ，５ｂや切断線５１，５２と同じ構成になっている。
【０１１５】
展開板４Ｄにおける折り曲げ線６は、上述した直交線６１と延長線６３を組み合わせることで構成されているが、谷折りされる折り曲げ部分と山折りされる折り曲げ部分のいずれかになる。また、折り曲げ線６は、板紙４０を折り曲げて組立てることで得られる仕切り部材１Ｄの最終形態を想定して設定されている。この折り曲げ線６の他の構成については、実施の形態１における折り曲げ線６と同じ構成になっている。
【０１１６】
展開板４Ｄにおける切り欠き部７ｃは、その円弧状の曲線５８が、切断線５７で囲まれる部分を折り曲げ線６（延長線６３）で折り曲げたときに得られる板状部分１０Ｊの角部を、その円弧状の曲線が外形線になる丸みのある角部にすることになる（図２３等）。
これにより、展開板４Ｄから組立てられる仕切り部材１Ｄにおいて、折り曲げで重なる部分１０Ｌを含む板紙４０の部分４０Ｌを後述する第９の位置（Ｐ９）と第１０の位置（Ｐ１０）の間で変位させる際に（図２４）、その板紙の部分４０Ｌが、板状部分１０Ｌの角部（丸みのある角部）に接触することを回避しながら、その変位させる動きを円滑に行うことができる。この曲線５８の他の構成については、前述の曲線５３Ａ，５３Ｂ（５４Ａ，５４Ｂ）の構成と同じにすることが可能である。また、この切り欠き部７ｃについても、円弧状の曲線５８に変えて、上記隣り合う直線部分の一方５７ａからその他方５７ｂに達する直線を採用して構成することもできる。
【０１１７】
そして、展開板４Ｄは、板紙４０のうち切断部７ｃを構成する切断線５７と折り曲げ線６で囲まれる各部分が、組立てられた段階における仕切り部材１Ｄの各仕切り空間を構成するいずれかの面部分として使用される。
【０１１８】
＜仕切り部材１Ｄの構成＞
実施の形態３に係る仕切り部材１Ｄは、図２４、図２５等に示されるように展開板４Ｄを折り曲げ線６に沿って谷折り又は山折りに折り曲げることにより、図２３等に示されるような６つの仕切り空間１１〜１６を有する形態の仕切り部材として組み立てられる。
【０１１９】
図２３（ａ）における仕切り部材１Ｄは、被収容物３を縦置きで並べた状態で収容するときの仕切り部材として利用する場合の状態で示されている。このため、この仕切り部材１Ｄは、その仕切り空間１１〜１６のすべてが上方にむけて開口した縦向きの（起立した）状態になる。また、この仕切り部材１Ｄは、縦置きの仕切り部材として使用する場合、上方から見たときに縦横に３列ずつ並んだ井桁状の仕切り空間１１〜１６が存在するものになる（図４）。
【０１２０】
この場合、仕切り部材１Ｄは、切断部５ｅで囲まれる部分が折り曲げ線６（６３）で谷折りに折り曲げられて２つの板状部分１０Ｊ，１０Ｊとなり、その各板状部分１０の丸みのある角部が含まれる一辺を収容空間２０の底面部２１に接触させた状態で設置して使用される。また、このときの仕切り部材１Ｄは、板紙４０の折り曲げ線６で囲まれた分割部分４４，４５，４６が底面となり、その分割部分４４，４５，４６を収容空間２０の底面部２１に接触させた状態で設置することにもなる。また、このときの仕切り部材１Ｄは、図２２において２つの切断部５ｅの下側にそれぞれ位置して谷折りで折り曲げられる部分が２つの重なる部分１０Ｌ，１０Ｌになり、その２つの重なる部分１０Ｌ，１０Ｌを上記した板状部分１０Ｌ，１０Ｌの側方から跨いで覆い被せた状態になる。
さらに、このときの仕切り部材１Ｄは、仕切り空間１１〜１６のすべてが板紙４０の２ｋの寸法からなる部分で囲まれた空間として形成されることになる。
【０１２１】
また、この展開板４Ｄから組み立てられる仕切り部材１Ｄは、図２３（ｂ）等に示されるように、その仕切り空間１１〜１６のすべてが収容箱２の収容空間２０（図２）において横方向にむけて開口した横向きの（横倒し）状態になるよう設置することで、被収容物３を横置きで積み重ねた状態で収容するときの仕切り部材として利用することも可能になっている。
仕切り部材１Ｄは、この横置きの仕切り部材として使用する場合、その横方向（側方）から見たときに横方向に３列、縦方向に２段になった井桁状の仕切り空間１１〜１６が存在するものになる。
【０１２２】
この場合、仕切り部材１Ｄは、板紙４０の上記２つの板状部分１０Ｊ，１０Ｊの切断線５７の最も長い辺部を収容空間２０の底面部２１に接触させた状態で設置して使用することになる。この際、２つの板状部分１０Ｊ，１０Ｊが支柱の役割をする。また、このときの仕切り部材１Ｄは、板紙４０の折り曲げ線６で囲まれた分割部分４４，４５，４６の同じ辺部（４０ｄ）も収容空間２０の底面部２１に接触させられた状態で設置することになる。
【０１２３】
さらに、このときの仕切り部材１Ｄは、６つの仕切り空間１１〜１６のすべてが、板紙４０の２ｋの寸法からなる部分で形成される。また、このときの仕切り空間１１〜１６を形成する板紙４０の部分は、自力で保持される。特に上段の仕切り空間１４〜１６を形成する板紙４０の部分（４０Ｌ）は、その重なる部分１０Ｌが板状部分１０Ｌの上部の一部を跨って覆い隠す状態になることで強く支えられて保持される。
【０１２４】
この横置きで収容するときに使用される仕切り部材１Ｄは、図２３（ｂ）、図２５（ｂ）に示されるように、板紙４０の重なる部分１０Ｌ，１０Ｌを含む一部４０Ｌを、板紙４０の板状部分１０Ｊの上辺部に対して、その重なる部分１０Ｌ，１０Ｌが上から覆い被さる状態になって仕切り空間（下段の仕切り空間１１〜１３と上段の仕切り空間１４〜１６）を同時に形成する第９の位置（Ｐ９）に変位させている。
また、この仕切り部材１Ｄにあっては、例えば、図２５（ｂ）に示されるように、板紙４０の上記重なる部分１０Ｌを含む一部４０Ｌを、板紙４０の板状部分１０Ｊの上辺部に対して、その重なる部分１０Ｌが離間した状態になって仕切り空間（上記１１〜１６）を消失させる第１０の位置（Ｐ１０）に変位させることもできる。
つまり、この仕切り部材１Ｄは、その一部４０Ｌが上記第９の位置（Ｐ９）と第１０の位置（Ｐ１０）の間で変位するように可動させることができる構造になっている。ちなみに、板紙４０の上記一部４０Ｌが第１０の位置（Ｐ１０）に変位している状態は、仕切り部材１Ｄの組立て時における一過程の状態でもある。
この場合、板紙４０の上記重なる部分１０Ｌを含む一部４０Ｌは、図２５に示されるように、折り曲げ線６のうち切断線５７の一部と直交する直交線６１からなる折り曲げ線６ｅを中心にして両矢印で示す方向に揺動させることになる。
【０１２５】
＜仕切り部材１Ｄの縦置き収容時の使用例＞
この仕切り部材１Ｄは、まず、縦置きの仕切り部材として使用することができる。
【０１２６】
この場合、仕切り部材１Ｄは、収容箱２（図２）の収容空間２０に対し、板紙４０の２つの板状部分１０Ｌの一辺部を収容空間２０の底面部２１に接触させた状態（図２３（ａ）参照）で設置される。この際、仕切り部材１Ｄは、その６つの仕切り空間１１〜１６のすべてが上方にむけて開口した縦向きの（起立した）状態になり、収容空間２０を４つの側面部２２〜２５と協働して上方から見たときに縦横の方向に３列×２列で並んだ計６つの分割空間に仕切ることになる。
【０１２７】
また、この仕切り部材１Ｄは、被収容物３Ａの収容箱２のへの縦置き収容と収容箱２からの取り出しを実施の形態１に係る仕切り部材１Ａ等の縦置き収容に使用した場合と同様に行うことができる。
【０１２８】
＜仕切り部材１Ｄの横置き収容時の使用例＞
そして、この仕切り部材１Ｄは、前述した通り横置きの仕切り部材として使用することもできる。
【０１２９】
この場合、仕切り部材１Ｄは、収容箱２の収容空間２０に対し、板紙４０の２つの板状部分１０Ｌの一辺部（実際には丸みのある角部を含まない辺部）を収容空間２０の底面部２１に接触させた状態（図２３（ｂ）参照）で設置される。この際、仕切り部材１Ｄは、その６つの仕切り空間１１〜１６のすべてが横方向にむけて開口した横向き（横倒し）の状態になり、収容空間２０を４つの側面部２２〜２５と協働して横方向に３列上下方向に２段で存在する計６つの分割空間に仕切ることになる。
【０１３０】
また、この仕切り部材１Ｄは、被収容物３Ｂ（３１〜３６）の収容箱２への横置き収容と収容箱２からの取り出しを実施の形態１に係る仕切り部材１Ａ（１Ｂ）等の横置き収容に使用した場合と同様に行うことができる。
【０１３１】
ちなみに、この仕切り部材１Ｄにおいては、前述した板紙４０の部分４０Ｌを前記第９の位置（Ｐ９）と第１０の位置（Ｐ１０）の間で変位させることが可能である。このため、被収容物３Ｂの横置き収容と取り出しに際しては、仕切り部材１Ｄを収容空間２０から取り出す必要がなく、また仕切り部材１Ｄを手で押さえて支える必要もなく、その収容と取り出しの作業を容易にかつ効率よく行うことができる。
また、この仕切り部材１Ｄを用いて被収容物３Ｂの横置き収容を行う場合は、前述したように、収容箱２の収容空間２０に設置したときに、６つの仕切り空間１１〜１６を形成する板紙４０の部分４０Ｌが板状部分１０Ｌに支えられて安定して保持されるので、上段に横置きする３つの被収容物３Ｂ（３４〜３６）を上段に安定した状態で収容することができる。
【０１３２】
なお、この仕切り部材１Ｄにおいては、収容箱２の収容空間２０に自立して保持されることを確実に行う観点から、実施の形態１に係る仕切り部材１Ａ等と同様に、収容箱２の一部に仕切り部材１０Ｄを引っ掛けるための引っ掛け用切欠き部８を設けてもよい。
【０１３３】
［実施の形態４］
図２６と図２７は、実施の形態４に係る展開板４Ｅ及び仕切り部材１Ｅを示すものである。
【０１３４】
＜展開板４Ｅの構成＞
実施の形態４に係る展開板４Ｅは、図２６に示されるものであるが、実施の形態１の変形例に係る展開板４Ｂ（図１２）と対比した場合、次の点で相違するのみである。
すなわち、展開板４Ｅは、板紙４０の縦寸法が５ｋから３ｋに減じられ、これに伴い展開板４Ｂにおける板紙４０の上部（縦寸法の上部２ｋにある部位）の領域が除かれている点である。これ以外の点については、展開板４Ｂと同じ構成になっている。
したがって、展開板４Ｅは、縦横の寸法が３ｋ×７ｋからなる板紙４０と、切断線５２で構成される２つの切断部５ｂと、直交線６１及び延長線６３からなる折り曲げ線６と、切断部５ｂを構成する切断線５２とその切断線５２の内側に存在して接触する背中合わせの円弧状の曲線５４Ａ，５４Ｂとで囲まれる部分が切除された２つの切り欠き部７ｂとで構成されている。
【０１３５】
＜仕切り部材１Ｅの構成＞
実施の形態４に係る仕切り部材１Ｅは、図２８に示されるように展開板４Ｅを折り曲げ線６に沿って谷折り又は山折りに折り曲げることにより、図２７に示されるような６つの仕切り空間１１〜１６を有する形態の仕切り部材として組み立てられる。
【０１３６】
この仕切り部材１Ｅは、展開板４Ｂで組立てられる仕切り部材１Ｂ（図１４）の場合と同様に、縦置きの仕切り部材として使用することができる。
【０１３７】
この場合、仕切り部材１Ｅは、板紙４０の切断部５ｂ（切断線５２）で囲まれる部分が山折りに折り曲げられて２つの重なる部分１０Ｍとなり、その重なる部分１０Ｍの長手方向における直線状の一端部を収容箱２（図２）の収容空間２０における底面部２１に接触させた状態（図２７（ａ）参照）で設置される。また、このときの仕切り部材１Ｅは、板紙４０の折り曲げ線６で囲まれた分割部分４７，４８，４９が底面となり、その分割部分４７，４８，４９を収容空間２０の底面部２１に接触させた状態で設置することにもなる。そして、このときの仕切り部材１Ｅは、その６つの仕切り空間１１〜１６のすべてが上方にむけて開口した縦向きの（起立した）状態になり、収容空間２０を４つの側面部２２〜２５と協働して上方から見たときに縦横の方向に３列×２列で並んだ計６つの分割空間に仕切ることになる。
さらに、このときの仕切り部材１Ｅは、仕切り空間１１〜１３が板紙４０の２ｋの寸法からなる部分で囲まれた空間として形成されるが、残りの仕切り空間１４〜１６がその一面が板紙４０の２ｋの寸法からなる相対的に高い部分で囲まれ、他の一面が板紙４０の１ｋの寸法からなる相対的に低い部分で構成される空間として形成されることになる。
【０１３８】
また、この展開板４Ｅから組み立てられる仕切り部材１Ｅは、図２７（ｂ）に示されるように、その仕切り空間１１〜１６のすべてが収容箱２（図２）の収容空間２０において横方向にむけて開口した横向きの（横倒し）状態になるよう設置することで、被収容物３を横置きで積み重ねた状態で収容するときの仕切り部材として利用することも可能になっている。
この仕切り部材１Ｅは、この横置きの仕切り部材として使用する場合、その横方向（側方）から見たときに横方向に３列、縦方向に２段になった井桁状の仕切り空間１１〜１６が存在するものになる。
【０１３９】
この場合、仕切り部材１Ｅは、板紙４０の上記２つの重なる部分１０Ｍ，１０Ｍの長手方向の一端部（丸みのある角部を含まない端部）を収容箱２の収容空間２０における底面部２１に接触させた状態で設置して使用される。この際、２つの重なる部分１０Ｍ，１０Ｍが支柱の役割をする。また、このときの仕切り部材１Ｅは、板紙４０の折り曲げ線６で囲まれた分割部分４７，４８，４９の同じ辺部（４０ｄ）も収容空間２０の底面部２１に接触させられた状態で設置することになる。
【０１４０】
さらに、このときの仕切り部材１Ｅは、縦置きの収容に使用する場合と同様に、仕切り空間１１〜１３が板紙４０の２ｋの寸法からなる部分で囲まれた空間として形成されるが、残りの仕切り空間１４〜１６がその一面が板紙４０の２ｋの寸法からなる相対的に高い部分で囲まれ、他の一面が板紙４０の１ｋの寸法からなる相対的に低い部分で構成される空間として形成されることになる。また、このときの仕切り空間１１〜１６を形成する板紙４０の部分（後述する部分４０Ｍ）は、その３箇所が折り曲げ線を含む部分で支えられて自力で保持される。
【０１４１】
この横置きで収容するときに使用される仕切り部材１Ｅは、図２７（ｂ）に示されるように、板紙４０の切断線５２の一部と１辺４０ｄの一部と折り曲げ線６で囲まれた部分が谷折りされて重なる部分１０Ｎ，１０Ｎを含む一部４０Ｍを、板紙４０の重なる部分１０Ｍの上部に対して、その重なる部分１０Ｎ，１０Ｎが接近した状態になって仕切り空間（下段の仕切り空間１１〜１３と上段の仕切り空間１４〜１６）を同時に形成する第１１の位置（Ｐ１１）に変位させている。
また、この仕切り部材１Ｅにあっては、例えば、図２７（ｂ）に二点鎖線で示されるように、板紙４０の上記重なる部分１０Ｎを含む一部４０Ｍを、板紙４０の重なる部分１０Ｍの上部に対し、その重なる部分１０Ｎが離間した状態になって仕切り空間（上記１１〜１６）を消失させる第１２の位置（Ｐ１２）に変位させることもできる。
つまり、この仕切り部材１Ｅは、その一部４０Ｍが上記第１１の位置（Ｐ１１）と第１２の位置（Ｐ１２）の間で変位するように可動させることができる構造になっている。ちなみに、板紙４０の上記一部４０Ｍが第１２の位置（Ｐ１２）に変位している状態は、仕切り部材１Ｅの組立て時における一過程の状態でもある。
この場合、板紙４０の上記重なる部分１０Ｎを含む一部４０Ｍは、図２７（ｂ）に示されるように、折り曲げ線６のうち切断線５２の有限端部と直交する直交線６１からなる折り曲げ線６ｆを中心にして両矢印で示す方向に揺動させることになる。
【０１４２】
＜仕切り部材１Ｅの縦置き収容時の使用例＞
この仕切り部材１Ｅは、まず、縦置きの仕切り部材として使用することができる。
【０１４３】
この場合、仕切り部材１Ｅは、収容箱２（図２）の収容空間２０に対し、板紙４０の２つの重なる部分１０Ｍの長手方向の一辺部を収容空間２０の底面部２１に接触させた状態（図２７（ａ）参照）で設置される。この際、仕切り部材１Ｅは、その６つの仕切り空間１１〜１６のすべてが上方にむけて開口した縦向きの（起立した）状態になり、収容空間２０を４つの側面部２２〜２５と協働して上方から見たときに縦横の方向に３列×２列で並んだ計６つの分割空間に仕切ることになる。
【０１４４】
また、この仕切り部材１Ｅは、被収容物３Ａの収容箱２のへの縦置き収容と収容箱２からの取り出しを実施の形態１に係る仕切り部材１Ａ等の縦置き収容に使用した場合と同様に行うことができる。
【０１４５】
＜仕切り部材１Ｅの横置き収容時の使用例＞
そして、この仕切り部材１Ｅは、前述した通り横置きの仕切り部材として使用することもできる。
【０１４６】
この場合、仕切り部材１Ｅは、収容箱２の収容空間２０に対し、板紙４０の２つの重なる部分１０Ｍの長手方向一端部の辺部（実際には丸みのある角部を含まない辺部）を収容空間２０の底面部２１に接触させた状態（図２７（ｂ）参照）で設置される。この際、仕切り部材１Ｅは、その６つの仕切り空間１１〜１６のすべてが横方向にむけて開口した横向き（横倒し）の状態になり、収容空間２０を４つの側面部２２〜２５と協働して横方向に３列上下方向に２段で存在する計６つの分割空間に仕切ることになる。
【０１４７】
また、この仕切り部材１Ｅは、被収容物３Ｂ（３１〜３６）の収容箱２への横置き収容と収容箱２からの取り出しを実施の形態１に係る仕切り部材１Ａ（１Ｂ）等の横置き収容に使用した場合と同様に行うことができる。
【０１４８】
ちなみに、この仕切り部材１Ｅにおいては、前述した板紙４０の部分４０Ｍを前記第１１の位置（Ｐ１１）と第１２の位置（Ｐ１２）の間で変位させることが可能である。このため、被収容物３Ｂの横置き収容と取り出しに際しては、仕切り部材１Ｅを収容空間２０から取り出す必要がなく、また仕切り部材１Ｅを手で押さえて支える必要もなく、その収容と取り出しの作業を容易にかつ効率よく行うことができる。
また、この仕切り部材１Ｅを用いて被収容物３Ｂの横置き収容を行う場合は、前述したように、収容箱２の収容空間２０に設置したときに、６つの仕切り空間１１〜１６を形成する板紙４０の部分４０Ｍが安定して保持されるので、上段に横置きする３つの被収容物３Ｂ（３４〜３６）を上段に安定させて収容することができる。
【０１４９】
なお、この仕切り部材１Ｅにおいては、収容箱２の収容空間２０に自立して保持されることを確実に行う観点から、実施の形態１に係る仕切り部材１Ａ等と同様に、収容箱２の一部に仕切り部材１０Ｅを引っ掛けるための引っ掛け用切欠き部８を設けてもよい。
【０１５０】
［実施の形態５］
図２９と図３０は、実施の形態５に係る展開板４Ｆ及び仕切り部材１Ｆを示すものである。
【０１５１】
＜展開板４Ｆの構成＞
実施の形態５に係る展開板４Ｆは、図２９に示されるものであるが、実施の形態４に係る展開板４Ｅ（図２６）と対比した場合、次の点で相違するのみである。
すなわち、展開板４Ｆは、板紙４０の横寸法が７ｋから４ｋに減じられ、これに伴い展開板４Ｅにおける板紙４０の左部の領域（横寸法の左端部３ｋに相当する部位）が除かれている点である。これ以外の点については、展開板４Ｅと同じ構成になっている。
したがって、展開板４Ｆは、縦横の寸法が３ｋ×４ｋからなる板紙４０と、切断線５２で構成される１つの切断部５ｂと、直交線６１及び延長線６３からなる折り曲げ線６と、切断部５ｂを構成する切断線５２とその切断線５２の内側に存在して接触する背中合わせの円弧状の曲線５４Ａ，５４Ｂとで囲まれる部分が切除された１つの切り欠き部７ｂとを備えて構成されている。
【０１５２】
＜仕切り部材１Ｆの構成＞
実施の形態５に係る仕切り部材１Ｆは、展開板４Ｆを折り曲げ線６に沿って谷折り又は山折りに折り曲げることにより、図３０に示されるような４つの仕切り空間１１〜１４を有する形態の仕切り部材として組立てられる。
【０１５３】
この仕切り部材１Ｆは、実施の形態４に係る展開板４Ｅで組立てられる仕切り部材１Ｅ（図２７（ａ））の場合と同様に、縦置きの仕切り部材として使用することができる。
【０１５４】
この場合、仕切り部材１Ｆは、板紙４０の切断部５ｂ（切断線５２）で囲まれる部分が山折りに折り曲げられて１つの重なる部分１０Ｒとなり、その重なる部分１０Ｒの長手方向における直線状の一端部を収容箱２（図２）の収容空間２０における底面部２１に接触させた状態（図３０（ａ）参照）で設置される。また、このときの仕切り部材１Ｆは、板紙４０の折り曲げ線６で囲まれた分割部分４７，４８が底面となり、その分割部分４７，４８を収容空間２０の底面部２１に接触させた状態で設置することにもなる。そして、このときの仕切り部材１Ｆは、その４つの仕切り空間１１〜１４のすべてが上方にむけて開口した縦向きの（起立した）状態になり、収容空間２０を４つの側面部２２〜２５と協働して上方から見たときに縦横の方向に２列×２列で並んだ計４つの分割空間に仕切ることになる
さらに、このときの仕切り部材１Ｆは、仕切り空間１１〜１４のすべてが板紙４０の２ｋの寸法からなる部分で囲まれた空間として形成される。
【０１５５】
また、この展開板４Ｆから組み立てられる仕切り部材１Ｆは、図３０（ｂ）に示されるように、その仕切り空間１１〜１４のすべてが収容箱２（図２）の収容空間２０において横方向にむけて開口した横向きの（横倒し）状態になるよう設置することで、被収容物３を横置きで積み重ねた状態で収容するときの仕切り部材として利用することも可能になっている。
この仕切り部材１Ｆは、この横置きの仕切り部材として使用する場合、その横方向（側方）から見たときに横方向に２列、縦方向に２段になった井桁状の仕切り空間１１〜１４が存在するものになる。
【０１５６】
この場合、仕切り部材１Ｆは、板紙４０の上記１つの重なる部分１０Ｒの長手方向の一端部（丸みのある角部を含まない端部）を収容箱２の収容空間２０における底面部２１に接触させた状態で設置して使用される。この際、１つの重なる部分１０Ｒが支柱の役割をする。また、このときの仕切り部材１Ｆは、板紙４０の折り曲げ線６で囲まれた分割部分４７，４８の同じ辺部（４０ｄ）も収容空間２０の底面部２１に接触させられた状態で設置することになる。
さらに、このときの仕切り部材１Ｆは、縦置きの収容に使用する場合と同様に、仕切り空間１１〜１４のすべてが板紙４０の２ｋの寸法からなる部分で囲まれた空間として形成される。また、このときの仕切り空間１１〜１４を形成する板紙４０の部分（後述する部分４０Ｍ）は、その２箇所が折り曲げ線を含む部分で支えられて自力で保持される。
【０１５７】
この横置きで収容するときに使用される仕切り部材１Ｆは、図３０（ｂ）に示されるように、板紙４０の切断線５２の一部と１辺４０ｄの一部と折り曲げ線６で囲まれた部分が谷折りされて重なる１つ部分１０Ｓを含む一部４０Ｎを、板紙４０の重なる部分１０Ｒに対して、その重なる部分１０Ｓが接近した状態になって仕切り空間（下段の仕切り空間１１、１２と上段の仕切り空間１３，１４）を同時に形成する第１３の位置（Ｐ１３）に変位させている。
また、この仕切り部材１Ｆにあっては、例えば、図３０（ｂ）に二点鎖線で示されるように、板紙４０の上記重なる部分１０Ｓを含む一部４０Ｎを、板紙４０の重なる部分１０Ｒの上部に対し、その重なる部分１０Ｓが離間した状態になって仕切り空間（上記１１〜１４）を消失させる第１４の位置（Ｐ１４）に変位させることもできる。
【０１５８】
つまり、この仕切り部材１Ｆは、その一部４０Ｎが上記第１３の位置（Ｐ１３）と第１４の位置（Ｐ１４）の間で変位するように可動させることができる構造になっている。ちなみに、板紙４０の上記一部４０Ｎが第１４の位置（Ｐ１４）に変位している状態は、仕切り部材１Ｆの組立て時における一過程の状態でもある。
この場合、板紙４０の上記重なる部分１０Ｓを含む一部４０Ｎは、図３０（ｂ）に示されるように、折り曲げ線６のうち切断線５２の有限端部と直交する直交線６１からなる折り曲げ線６ｇを中心にして両矢印で示す方向に揺動させることになる。
【０１５９】
＜仕切り部材１Ｆの縦置き収容時の使用例＞
この仕切り部材１Ｆは、まず、縦置きの仕切り部材として使用することができる。
【０１６０】
この場合、仕切り部材１Ｆは、収容箱２（図２）の収容空間２０に対し、板紙４０の１つの重なる部分１０Ｒの長手方向の一辺部を収容空間２０の底面部２１に接触させた状態（図３０（ａ）参照）で設置される。この際、仕切り部材１Ｆは、その４つの仕切り空間１１〜１４のすべてが上方にむけて開口した縦向きの（起立した）状態になり、収容空間２０を４つの側面部２２〜２５と協働して上方から見たときに縦横の方向に２列×２列で並んだ計４つの分割空間に仕切ることになる。
【０１６１】
また、この仕切り部材１Ｆは、被収容物３Ａの収容箱２のへの縦置き収容と収容箱２からの取り出しを実施の形態１に係る仕切り部材１Ａ等の縦置き収容に使用した場合と同様に行うことができる。
【０１６２】
＜仕切り部材１Ｆの横置き収容時の使用例＞
そして、この仕切り部材１Ｆは、前述した通り横置きの仕切り部材として使用することもできる。
【０１６３】
この場合、仕切り部材１Ｆは、収容箱２の収容空間２０に対し、板紙４０の１つの重なる部分１０Ｒの長手方向一端部の辺部（実際には丸みのある角部を含まない辺部）を収容空間２０の底面部２１に接触させた状態（図３０（ｂ）参照）で設置される。この際、仕切り部材１Ｆは、その４つの仕切り空間１１〜１４のすべてが横方向にむけて開口した横向き（横倒し）の状態になり、収容空間２０を４つの側面部２２〜２５と協働して横方向に２列上下方向に２段で存在する計４つの分割空間に仕切ることになる。
【０１６４】
また、この仕切り部材１Ｆは、被収容物３Ｂ（３１〜３４）の収容箱２への横置き収容と収容箱２からの取り出しを実施の形態１に係る仕切り部材１Ａ（１Ｂ）等の横置き収容に使用した場合と同様に行うことができる。
【０１６５】
ちなみに、この仕切り部材１Ｆにおいては、前述した板紙４０の部分４０Ｎを前記第１３の位置（Ｐ１３）と第１４の位置（Ｐ１４）の間で変位させることが可能である。このため、被収容物３Ｂの横置き収容及びその取り出しに際しては、仕切り部材１Ｆを収容空間２０から取り出す必要がなく、また仕切り部材１Ｆを手で押さえて支える必要もなく、その収容と取り出しの作業を容易にかつ効率よく行うことができる。
また、この仕切り部材１Ｆを用いて被収容物３Ｂの横置き収容を行う場合は、前述したように、収容箱２の収容空間２０に設置したときに、４つの仕切り空間１１〜１４を形成する板紙４０の部分４０Ｎが安定して保持されるので、上段に横置きする２つの被収容物３Ｂ（３３，３４）を上段に安定させて収容することができる。
【０１６６】
なお、この仕切り部材１Ｆにおいては、収容箱２の収容空間２０に自立して保持されることを確実に行う観点から、実施の形態１に係る仕切り部材１Ａ等と同様に、収容箱２の一部に仕切り部材１０Ｆを引っ掛けるための引っ掛け用切欠き部８を設けてもよい。
【０１６７】
［実施の形態６］
図３１と図３２は、実施の形態６に係る展開板４Ｇ及び仕切り部材１Ｇを示すものである。
【０１６８】
＜展開板４Ｇの構成＞
実施の形態５に係る展開板４Ｇは、図３１に示されるものであるが、実施の形態３に係る展開板４Ｄ（図２２）と対比した場合、次の点で相違するのみである。
すなわち、展開板４Ｇは、板紙４０の横寸法が７ｋから４ｋに減じられ、これに伴い展開板４Ｄにおける板紙４０の左部の領域（横寸法の左端部３ｋに相当する部位）が除かれている点と、切り欠き部７ｃを設けていない点である。これ以外の点については、展開板４Ｄと同じ構成になっている。
したがって、展開板４Ｇは、縦横の寸法が３ｋ×４ｋからなる板紙４０と、切断線５７で構成される１つの切断部５ｅと、直交線６１及び延長線６３からなる折り曲げ線６とを備えて構成されているものである。
【０１６９】
＜仕切り部材１Ｇの構成＞
実施の形態６に係る仕切り部材１Ｇは、展開板４Ｇを折り曲げ線６に沿って谷折り又は山折りに折り曲げることにより、図３２に示されるような４つの仕切り空間１１〜１４を有する形態の仕切り部材として組み立てられる。
【０１７０】
この仕切り部材１Ｇは、実施の形態３に係る展開板４Ｄで組立てられる仕切り部材１Ｄ（図２３（ａ））の場合と同様に、縦置きの仕切り部材として使用することができる。
【０１７１】
この場合、仕切り部材１Ｇは、板紙４０の切断部５ｅ（切断線５７）で囲まれる部分が谷折りに折り曲げられて１つの板状部分１０Ｔとなり、その板状部分１０Ｔの直線状の一辺部を収容箱２（図２）の収容空間２０における底面部２１に接触させた状態（図３２（ａ）参照）で設置される。また、このときの仕切り部材１Ｇは、板紙４０の折り曲げ線６で囲まれた分割部分４７，４８が底面となり、その分割部分４７，４８を収容空間２０の底面部２１に接触させた状態で設置することにもなる。そして、このときの仕切り部材１Ｇは、その４つの仕切り空間１１〜１４のすべてが上方にむけて開口した縦向きの（起立した）状態になり、収容空間２０を４つの側面部２２〜２５と協働して上方から見たときに縦横の方向に２列×２列で並んだ計４つの分割空間に仕切ることになる
さらに、このときの仕切り部材１Ｇは、仕切り空間１１〜１４のすべてが板紙４０の２ｋの寸法からなる部分で囲まれた空間として形成される。
【０１７２】
また、この展開板４Ｇから組み立てられる仕切り部材１Ｇは、図３２（ｂ）に示されるように、その仕切り空間１１〜１４のすべてが収容箱２（図２）の収容空間２０において横方向にむけて開口した横向きの（横倒し）状態になるよう設置することで、被収容物３を横置きで積み重ねた状態で収容するときの仕切り部材として利用することも可能になっている。
この仕切り部材１Ｇは、この横置きの仕切り部材として使用する場合、その横方向（側方）から見たときに横方向に２列、縦方向に２段になった井桁状の仕切り空間１１〜１４が存在するものになる。
【０１７３】
この場合、仕切り部材１Ｇは、板紙４０の上記１つの板状部分１０Ｔにおける一辺部（丸みのある角部を含まない辺部）を収容箱２の収容空間２０における底面部２１に接触させた状態で設置して使用される。この際、１つの板状部分１０Ｔが支柱の役割をする。また、このときの仕切り部材１Ｇは、板紙４０の折り曲げ線６で囲まれた分割部分４７，４８の同じ辺部（４０ｄ）も収容空間２０の底面部２１に接触させられた状態で設置することになる。
さらに、このときの仕切り部材１Ｇは、縦置きの収容に使用する場合と同様に、仕切り空間１１〜１４のすべてが板紙４０の２ｋの寸法からなる部分で囲まれた空間として形成される。また、このときの仕切り空間１１〜１４を形成する板紙４０の部分（後述する部分４０Ｒ）は、その重なる部分１０Ｕが板状部分１０Ｔの上部の一部を跨って覆い隠す状態になることで強く支えられて保持される。
【０１７４】
この横置きで収容するときに使用される仕切り部材１Ｇは、図３２（ｂ）に示されるように、板紙４０の切断線５７の一部と１辺４０ｄの一部と折り曲げ線６で囲まれた部分が谷折りされて重なる１つ部分１０Ｕを含む一部４０Ｒを、板紙４０の板状部分１０Ｔに対して、その重なる部分１０Ｕが上から跨って覆い隠す状態になって仕切り空間（下段の仕切り空間１１、１２と上段の仕切り空間１３，１４）を同時に形成する第１５の位置（Ｐ１５）に変位させている。
また、この仕切り部材１Ｇにあっては、例えば、図３２（ｂ）に二点鎖線で示されるように、板紙４０の上記重なる部分１０Ｕを含む一部４０Ｒを、板紙４０の板状部分１０Ｔの上部に対し、その重なる部分１０Ｕが離間した状態になって仕切り空間（上記１１〜１４）を消失させる第１６の位置（Ｐ１６）に変位させることもできる。
【０１７５】
つまり、この仕切り部材１Ｇは、その一部４０Ｒが上記第１５の位置（Ｐ１５）と第１６の位置（Ｐ１６）の間で変位するように可動させることができる構造になっている。ちなみに、板紙４０の上記一部４０Ｒが第１６の位置（Ｐ１６）に変位している状態は、仕切り部材１Ｇの組立て時における一過程の状態でもある。
この場合、板紙４０の上記重なる部分１０Ｕを含む一部４０Ｒは、図３０（ｂ）に示されるように、折り曲げ線６のうち切断線５２の有限端部と直交する直交線６１からなる折り曲げ線６ｈを中心にして両矢印で示す方向に揺動させることになる。
【０１７６】
＜仕切り部材１Ｇの縦置き収容時の使用例＞
この仕切り部材１Ｇは、まず、縦置きの仕切り部材として使用することができる。
【０１７７】
この場合、仕切り部材１Ｇは、収容箱２（図２）の収容空間２０に対し、板紙４０の１つの板状部分１０Ｔの一辺部を収容空間２０の底面部２１に接触させた状態（図３２（ａ）参照）で設置される。この際、仕切り部材１Ｇは、その４つの仕切り空間１１〜１４のすべてが上方にむけて開口した縦向きの（起立した）状態になり、収容空間２０を４つの側面部２２〜２５と協働して上方から見たときに縦横の方向に２列×２列で並んだ計４つの分割空間に仕切ることになる。
【０１７８】
また、この仕切り部材１Ｇは、被収容物３Ａの収容箱２のへの縦置き収容と収容箱２からの取り出しを実施の形態１に係る仕切り部材１Ａ等の縦置き収容に使用した場合と同様に行うことができる。
【０１７９】
＜仕切り部材１Ｇの横置き収容時の使用例＞
そして、この仕切り部材１Ｇは、前述した通り横置きの仕切り部材として使用することもできる。
【０１８０】
この場合、仕切り部材１Ｇは、収容箱２の収容空間２０に対し、板紙４０の１つの板状部分１０Ｔにおける一辺部（丸みのある角部を含まない辺部）を収容空間２０の底面部２１に接触させた状態（図３２（ｂ）参照）で設置される。この際、仕切り部材１Ｇは、その４つの仕切り空間１１〜１４のすべてが横方向にむけて開口した横向き（横倒し）の状態になり、収容空間２０を４つの側面部２２〜２５と協働して横方向に２列上下方向に２段で存在する計４つの分割空間に仕切ることになる。
【０１８１】
また、この仕切り部材１Ｇは、被収容物３Ｂ（３１〜３４）の収容箱２への横置き収容と収容箱２からの取り出しを実施の形態１に係る仕切り部材１Ａ（１Ｂ）等の横置き収容に使用した場合と同様に行うことができる。
【０１８２】
ちなみに、この仕切り部材１Ｇにおいては、前述した板紙４０の部分４０Ｒを前記第１５の位置（Ｐ１５）と第１６の位置（Ｐ１６）の間で変位させることが可能である。このため、被収容物３Ｂの横置き収容及びその取り出しに際しては、仕切り部材１Ｇを収容空間２０から取り出す必要がなく、また仕切り部材１Ｇを手で押さえて支える必要もなく、その収容と取り出しの作業を容易にかつ効率よく行うことができる。
また、この仕切り部材１Ｇを用いて被収容物３Ｂの横置き収容を行う場合は、前述したように、収容箱２の収容空間２０に設置したときに、４つの仕切り空間１１〜１４を形成する板紙４０の部分４０Ｒが安定して保持されるので、上段に横置きする２つの被収容物３Ｂ（３３，３４）を上段に安定させて収容することができる。
【０１８３】
なお、この仕切り部材１Ｇにおいても、収容箱２の収容空間２０に自立して保持されることを確実に行う観点から、実施の形態１に係る仕切り部材１Ａ等と同様に、収容箱２の一部に仕切り部材１０Ｇを引っ掛けるための引っ掛け用切欠き部８を設けてもよい。
【０１８４】
［比較参考例２、３］
ここで、実施の形態１に係る仕切り部材１Ａ（展開板４Ａ）と実施の形態２に係る仕切り部材１Ｃ（展開板４Ｃ）について、縦置きの収容に使用される従来の仕切り部材１１０（展開板４Ｓ）及び仕切り部材１２０（展開板４Ｔ）と比較しながら説明する。
【０１８５】
まず従来の仕切り部材１１０（比較参考例２）は、図３６（ａ）に示されるように、９つの仕切り空間１１〜１９を有する形態の仕切り部材である。仕切り部材１１０は、図３６（ａ）において縦置きの収容時に使用する状態で示している。そして、この従来の仕切り部材１１０は、図３６（ｂ）に示される展開板４Ｓを折り曲げて組み立てられるものである。
【０１８６】
この展開板４Ｓは、図３６（ｂ）に示されるように、四角形の平面形状からなる１枚の板紙４０と、板紙４０の内側領域を板紙４０の少なくとも２辺（本例では４０ｂ，４０ｄの２辺）から切り込まれて残り２辺（本例では４０ａ，４０ｄの２辺）に平行して延びる有限の切断線５０３、５０４で切断してなる８つの切断部５０（５０ｃ、５０ｄ）と、板紙４０に切断線５０１，５０２の一部に直交して延びる直交線６０１と切断線５０２，５０４の一部から連続して延びる延長線６０３からなる折り曲げ線６０と、切断部５０における切断線５０３，５０４の切込み入口側の一部とその切断線５０３，５０４の中間位置で直角に交わる切断線５０５とで囲まれる部分を切除してなる４つの切欠き部７０ａ〜７０ｄとを備えて構成されている。
【０１８７】
このうち板紙４０は、その原材料においては、実施の形態１、２における板紙４０と同様のものである。また、切断線５０３、５０４はいずれも、２ｋ（ｋ：分割単位長さ）の寸法からなる有限の直線で構成されており、上記２辺４０ｂ，４０ｄの間で互いに向き合い中央において１ｋの寸法の部分を残して終端とされている。さらに、折り曲げ線６０は、上述した直交線６０１と延長線６０３を組み合わせることで構成されているが、それらは谷折りされる折り曲げ部分と山折りされる折り曲げ部分のいずれかになる。図３６において、折り曲げ線６のうち谷折りする部分を破線で示し、また、山折りする部分を一点鎖線で示している（この図示の仕方は、これ以降の比較参考例の展開板を示す他の図面においても同様である。）。
【０１８８】
この展開板４Ｓを谷折り及び山折りして折り曲げることにより組立てられる従来の仕切り部材１１０は、図３６（ａ）に示されるように、前述した実施の形態１、２に係る仕切り部材１Ａ（１Ｂ）、１Ｃの場合と同様に、縦置きの仕切り部材として使用できるものである。
この場合、従来の仕切り部材１１０は、一部の仕切り空間１４〜１６がすべて板紙４０の２ｋの寸法からなる部分で囲まれて形成されるが、残りの仕切り空間１１〜１３，１７〜１９がその一面において板紙４０の１ｋの寸法からなる相対的に低い部分で囲まれて形成されている。
【０１８９】
一方、この従来の仕切り部材１１０は、横置きの仕切り部材として使用とすると、前述した参考比較例１の仕切り部材１００の場合と同様の不具合がある。
この点、実施の形態１、２に係る展開板４Ａ（４Ｂ，４Ｃ）では、比較参考例１の項で既述した同様の理由で、このような不具合がない。
【０１９０】
しかも、この従来の仕切り部材１１０にあっては、その展開板４Ｓが板紙４０の２辺（４０ｂ，４０ｄ）の一部から内側にむけてそれぞれ切り込まれる４つの切欠き部７ａ，７ｂを設けなければならない構成になっているため、その展開板４Ｓを構成する板紙４０（その原材料の段階のもの）について４つの切欠き部７０ａ〜７０ｂに相当する部分（二点鎖線で概念的に示すような範囲）が２辺４０ｂ，４０ｄの一部からそれぞれ内側にむけて切除されることになり、多くの無駄が発生してしまうという不具合もある。
この点、実施の形態１、２に係る展開板４Ａ（４Ｂ，４Ｃ）は、このような不具合もなく、１枚の板紙４０を無駄なく（又は最小限の無駄で）有効に活用した展開板、ひいては仕切り部材を提供することができる。
【０１９１】
図３７は、上記従来の仕切り部材１１０（比較参考例２）とは別の従来の仕切り部材１２０（比較参考例３）を示している。
【０１９２】
この従来の仕切り部材１２０は、９つの仕切り空間１１〜１９を有する形態の仕切り部材であるが、その仕切り空間１１〜１９のすべてが板紙４０の２ｋの寸法からなる部分で囲まれて形成されたものになっている。この点で、従来の仕切り部材１２０は、上記従来の仕切り部材１１０（比較参考例２）を一部改善している。
【０１９３】
また、この従来の仕切り部材１２０は、図３７（ｂ）に示される展開板４Ｔを折り曲げて組立てられるものである。
この展開板４Ｔは、仕切り部材１１０（比較参考例２）の展開板４Ｓと対比した場合、基本的な構成が共通しているものの、１枚の板紙４０として横寸法が７ｋから１１ｋに大幅に増加した板紙４０を適用している点で相違するものである。
【０１９４】
このため、この従来の仕切り部材１２０では、仕切り部材１１０（比較参考例２）と比べた場合に仕切り空間の改善ができる利点があるにとどまり、むしろ板紙４０の大型化が必要になって材料使用量が多くなってしまうという不具合が新たに発生するようになる。
この点、実施の形態１，２に係る展開板４Ａ（４Ｂ，４Ｃ）は、このような不具合もない。
【０１９５】
［比較参考例４、５］
また、実施の形態５に係る仕切り部材１Ｆ（展開板４Ｆ）について、縦置きの収容に使用される従来の仕切り部材１３０（展開板４Ｕ）及び仕切り部材１４０（展開板４Ｖ）と比較しながら説明する。
【０１９６】
まず従来の仕切り部材１３０（比較参考例４）は、図３８（ａ）に示されるように、４つの仕切り空間１１〜１４を有する形態の仕切り部材である。仕切り部材１３０は、図３８（ａ）において縦置きの収容時に使用する状態で示している。そして、この従来の仕切り部材１３０は、図３８（ｂ）に示される展開板４Ｕを折り曲げて組み立てられるものである。
【０１９７】
この展開板４Ｕは、図３８（ｂ）に示されるように、四角形の平面形状からなる１枚の板紙４０と、板紙４０の内側領域を板紙４０の１辺（本例では４０ｂの１辺）から切り込まれて残り２辺（本例では４０ａ，４０ｃの２辺）に平行して延びる有限の切断線５０６で切断してなる１つの切断部５０（５０ｅ）と、板紙４０に切断線５０６の一部に直交して延びる直交線６０１と切断線５０６の一部から連続して延びる延長線６０３からなる折り曲げ線６０と、切断部５０における切断線５０６の切込み入口側の一部とその切断線５０６の中間位置で直角に交わる切断線５０７とで囲まれる部分を切除してなる１つの切欠き部７０ｅとを備えて構成されている。
【０１９８】
このうち板紙４０は、その原材料においては、実施の形態５における板紙４０と同様のものである。また、切断線５０６は、２ｋ（ｋ：分割単位長さ）の寸法からなる有限の直線で構成されており、１辺４０ｂとの間で１ｋの寸法の部分を残して終端とされている。さらに、折り曲げ線６０は、上述した直交線６０１と延長線６０３を組み合わせることで構成されているが、それらは谷折りされる折り曲げ部分と山折りされる折り曲げ部分のいずれかになる。
【０１９９】
この展開板４Ｕを谷折り及び山折りして折り曲げることにより組立てられる従来の仕切り部材１３０は、図３８（ａ）に示されるように、前述した実施の形態５に係る仕切り部材１Ｆの場合と同様に、縦置きの仕切り部材として使用できるものである。
この場合、従来の仕切り部材１３０は、４つの仕切り空間１４〜１６のすべてが板紙４０の２ｋの寸法からなる部分で囲まれて形成されるが、残りの１面が板紙４０の１ｋの寸法からなる相対的に低い部分で囲まれて形成されている。
【０２００】
一方、この従来の仕切り部材１３０は、横置きの仕切り部材として使用とすると、前述した参考比較例１の仕切り部材１００の場合と同様の不具合がある。
この点、実施の形態５に係る展開板４Ｆでは、比較参考例１の項で既述した同様の理由で、このような不具合がない。
【０２０１】
しかも、この従来の仕切り部材１３０にあっては、その展開板４Ｕが板紙４０の１辺（４０ｄ）の一部から内側にむけて切り込まれる１つの切欠き部７ｅを設けなければならない構成になっているため、その展開板４Ｕを構成する板紙４０（その原材料の段階のもの）について１つの切欠き部７ｅに相当する部分（二点鎖線で概念的に示すような範囲）が１辺４０ｄの一部から内側に及ぶよう切除されることになり、無駄が発生してしまうという不具合もある。
この点、実施の形態５に係る展開板４Ｆは、このような不具合もなく、１枚の板紙４０を無駄なく（又は最小限の無駄で）有効に活用した展開板、ひいては仕切り部材を提供することができる。
【０２０２】
図３９は、上記従来の仕切り部材１３０（比較参考例４）とは別の従来の仕切り部材１４０（比較参考例５）を示している。
【０２０３】
この従来の仕切り部材１４０は、４つの仕切り空間１１〜１４を有する形態の仕切り部材であるが、その仕切り空間１１〜１４のすべてが板紙４０の２ｋの寸法からなる部分で囲まれて形成されたものになっている。この点で、従来の仕切り部材１４０は、上記従来の仕切り部材１３０（比較参考例４）を一部改善している。
【０２０４】
また、この従来の仕切り部材１４０は、図３９（ｂ）に示される展開板４Ｖを折り曲げて組立てられるものである。
この展開板４Ｖは、仕切り部材１３０（比較参考例４）の展開板４Ｕと対比した場合、基本的な構成が共通しているものの、１枚の板紙４０として横寸法が４ｋから６ｋに増加した板紙４０を適用している点で相違するものである。
【０２０５】
このため、この従来の仕切り部材１４０では、仕切り部材１３０（比較参考例４）に比べると仕切り空間の改善ができる利点があるにとどまり、むしろ板紙４０の大型化が必要になって材料使用量が多くなってしまうという不具合が新たに発生するようになる。
この点、実施の形態５に係る展開板４Ｆは、このような不具合もない。
【０２０６】
［他の実施の形態］
実施の形態１〜６では、仕切り部材１を収容空間２０に１つ設置して収容する構成例を示したが、仕切り部材１は、収容空間２０に複数（実際には偶数）設置して使用してもよい。例えば、実施の形態１では、図１に示される収容箱２の収容空間２０に２個の仕切り部材１Ａをその各仕切り空間（開口部）が互いに向かい合う状態に設置して使用することも可能である。
【０２０７】
仕切り部材１については、切り込み部７を設けなくても構わない。
また反対に、例えば実施の形態２における仕切り部材１Ｃ（図１８）及びその展開板４Ｃ（図１６）や、実施の形態６における仕切り部材１Ｇ（図３２）及びその展開板４Ｇ（図３１）において、その各展開板４Ｃ，４Ｇのうち直交して隣り合う切断線５５ｂ，５５ｃ（５７ａ，５７ｂ）とその切断線５５ｂ，５５ｃ（５７ａ，５７ｂ）に内側で接触する円弧状の曲線５９とで囲まれる部分を切除して切り欠き部を追加して設けることも可能である。
【０２０８】
被収容物３Ｂは、仕切り部材１を適用した横置きで積み重ねる収容が可能なものであれば特に限定されるものでない。また、仕切り部材１を適用する収容空間２０は、収容箱２における収容空間２０に限定されず、仕切り部材１の適用が可能であれば、例えば他の構造物（建築物なども含む）における収容空間であっても差し支えない。
【符号の説明】
【０２０９】
１  …仕切り部材
２  …収容箱（箱の一例）
３  …被収容物
５  …切断部
６  …折り曲げ線
７  …切り欠き部
８  …引っ掛け用切り欠き部
４０…板紙
４０ａ，４０ｂ，４０ｃ，４０ｄ…板紙の４辺
４０Ｅ〜４０Ｇ，４０Ｌ〜４０Ｎ，４０Ｒ…板紙の一部（変位させる板紙の一部の一例）
５１，５２，５５，５６…切断線（板紙の少なくとも３辺に平行で連続して延びる有限の切断線の一例）
５１ａ，５１ｂ（５２ａ，５２ｂ）…直交して隣り合う２つの直線部分（隣り合う２つの直線部分の一例）
５１ｂ，５１ｃ（５２ｂ，５２ｃ）…平行して向き合う２つの直線部分（向き合う２つの直線部分の一例）
５１ａ，５２ｂ…向き合う２つの直線部分に挟まれた１つの直線部分（１つの直線部分の一例）
５７…切断線（板紙の１辺のみから切り込まれて残り３辺に平行で連続して延びる有限の切断線の一例）
５３Ａ，５３Ｂ（５４Ａ，５４Ｂ）…円弧状の曲線（背中合わせで接近するように延びて接触する２つの円弧状の曲線の一例）
５８，５９…円弧状の曲線（隣り合う２つの直線部分に内側から接触する円弧状の曲線の一例）
６１…直交線
６３…延長線
Ｐ１，Ｐ３，Ｐ５，Ｐ７，Ｐ９，Ｐ１１，Ｐ１３，Ｐ１５…第１，３，５，７，９，１１
，１３，１５の位置（仕切り空間を形成する位置）
Ｐ２，Ｐ４，Ｐ６，Ｐ８，Ｐ１０，Ｐ１２，Ｐ１４，Ｐ１６…第２，４，６，８，１０，１２，１４，１６の位置（仕切り空間を消失させる位置）
【図１】
0006668602.tif 000002
【図２】
0006668602.tif 000003
【図３】
0006668602.tif 000004
【図４】
0006668602.tif 000005
【図５】
0006668602.tif 000006
【図６】
0006668602.tif 000007
【図７】
0006668602.tif 000008
【図８】
0006668602.tif 000009
【図９】
0006668602.tif 000010
【図１０】
0006668602.tif 000011
【図１１】
0006668602.tif 000012
【図１２】
0006668602.tif 000013
【図１３】
0006668602.tif 000014
【図１４】
0006668602.tif 000015
【図１５】
0006668602.tif 000016
【図１６】
0006668602.tif 000017
【図１７】
0006668602.tif 000018
【図１８】
0006668602.tif 000019
【図１９】
0006668602.tif 000020
【図２０】
0006668602.tif 000021
【図２１】
0006668602.tif 000022
【図２２】
0006668602.tif 000023
【図２３】
0006668602.tif 000024
【図２４】
0006668602.tif 000025
【図２５】
0006668602.tif 000026
【図２６】
0006668602.tif 000027
【図２７】
0006668602.tif 000028
【図２８】
0006668602.tif 000029
【図２９】
0006668602.tif 000030
【図３０】
0006668602.tif 000031
【図３１】
0006668602.tif 000032
【図３２】
0006668602.tif 000033
【図３３】
0006668602.tif 000034
【図３４】
0006668602.tif 000035
【図３５】
0006668602.tif 000036
【図３６】
0006668602.tif 000037
【図３７】
0006668602.tif 000038
【図３８】
0006668602.tif 000039
【図３９】
0006668602.tif 000040